(57)【特許請求の範囲】
【請求項１】
被施療者（Ｈ）を複数種の施療体（Ｂ）でマッサージするマッサージ装置（Ｍ）を操作する操作システムであって、
当該操作システムへの操作入力（Ｎ）に基づいて前記マッサージ装置（Ｍ）に実行させる施療コース（Ｒ）における複数種の施療体（Ｂ）によるマッサージ動作（Ｄ）を１つだけ又は複数同時に編集可能な編集部（２）と、前記施療コース（Ｒ）における複数種の施療体（Ｂ）によるマッサージ動作（Ｄ）を複数同時に表示可能な表示部（３）を有し、
前記マッサージ動作（Ｄ）は、前記施療コース（Ｒ）の実行が開始されてから当該マッサージ動作（Ｄ）の施療を開始する開始時刻（Ｋ）及び当該マッサージ動作（Ｄ）の施療を終了する終了時刻（Ｅ）を少なくともマッサージ動作情報（Ｊ）として含み、
前記編集部（２）が前記マッサージ動作（Ｄ）の開始時刻（Ｋ）及び終了時刻（Ｅ）を編集する際には、前記表示部（３）は、前記施療体（Ｂ）の種類ごとに各マッサージ動作（Ｄ）を所定方向に沿って並べて、前記所定方向における位置（Ｐ）で各マッサージ動作（Ｄ）の開始時刻（Ｋ）及び終了時刻（Ｅ）を表示していることを特徴とする操作システム。
【請求項２】
前記編集部（２）は、前記施療体（Ｂ）の種類を跨いで、複数のマッサージ動作（Ｄ）を一括して編集することを特徴とする請求項１に記載の操作システム。
【請求項３】
被施療者（Ｈ）を１種又は複数種の施療体（Ｂ）でマッサージするマッサージ装置（Ｍ）を操作する操作システムであって、
当該操作システムへの操作入力（Ｎ）に基づいて前記マッサージ装置（Ｍ）に実行させる施療コース（Ｒ）における１種又は複数種の施療体（Ｂ）によるマッサージ動作（Ｄ）を１つだけ又は複数同時に編集可能な編集部（２）と、前記施療コース（Ｒ）における１種又は複数種の施療体（Ｂ）によるマッサージ動作（Ｄ）を１つだけ又は複数同時に表示可能な表示部（３）を有し、
前記マッサージ動作（Ｄ）は、前記施療コース（Ｒ）の実行が開始されてから当該マッサージ動作（Ｄ）の施療を開始する開始時刻（Ｋ）及び当該マッサージ動作（Ｄ）の施療を終了する終了時刻（Ｅ）を少なくともマッサージ動作情報（Ｊ）として含み、
前記編集部（２）が前記マッサージ動作（Ｄ）の開始時刻（Ｋ）及び終了時刻（Ｅ）を編集する際には、前記表示部（３）は、前記施療体（Ｂ）の種類ごとに各マッサージ動作（Ｄ）を所定方向に沿って並べて、前記所定方向における位置（Ｐ）で各マッサージ動作（Ｄ）の開始時刻（Ｋ）及び終了時刻（Ｅ）を表示すると共に、
前記編集部（２）は、あるマッサージ動作（Ｄ）の開始時刻（Ｋ）及び終了時刻（Ｅ）を表示する位置（Ｐ）を、別のマッサージ動作（Ｄ）が存在する位置（Ｐ）へ移動させられないことを特徴とする操作システム。
【請求項４】
被施療者（Ｈ）を１種又は複数種の施療体（Ｂ）でマッサージするマッサージ装置（Ｍ）を操作システム（１）で操作する操作プログラムであって、
前記操作システム（１）に、
当該操作システム（１）への操作入力（Ｎ）に基づいて前記マッサージ装置（Ｍ）に実行させる施療コース（Ｒ）における１種又は複数種の施療体（Ｂ）によるマッサージ動作（Ｄ）を１つだけ又は複数同時に編集可能な編集ステップ（Ｓ−Ｅ）と、前記施療コース（Ｒ）における１種又は複数種の施療体（Ｂ）によるマッサージ動作（Ｄ）を１つだけ又は複数同時に表示可能な表示ステップ（Ｓ−Ｄ）を実行させ、
前記マッサージ動作（Ｄ）は、前記施療コース（Ｒ）の実行が開始されてから当該マッサージ動作（Ｄ）の施療を開始する開始時刻（Ｋ）及び当該マッサージ動作（Ｄ）の施療を終了する終了時刻（Ｅ）を少なくともマッサージ動作情報（Ｊ）として含み、
前記マッサージ動作（Ｄ）の開始時刻（Ｋ）及び終了時刻（Ｅ）を編集する際には、前記編集ステップ（Ｓ−Ｅ）と表示ステップ（Ｓ−Ｄ）を同時に実行させることによって、
前記施療体（Ｂ）の種類ごとに各マッサージ動作（Ｄ）を並べた所定方向における位置（Ｐ）で各マッサージ動作（Ｄ）の開始時刻（Ｋ）及び終了時刻（Ｅ）を表示して、前記所定方向における位置（Ｐ）の変更を、前記マッサージ動作（Ｄ）の開始時刻（Ｋ）及び終了時刻（Ｅ）の編集とすると共に、
この編集の際には、あるマッサージ動作（Ｄ）の開始時刻（Ｋ）及び終了時刻（Ｅ）を表示する位置（Ｐ）を、別のマッサージ動作（Ｄ）が存在する位置（Ｐ）へ変更させられないことを特徴とする操作プログラム。
【請求項５】
請求項１〜３の何れか１項に記載の操作システム（１）と、
この操作システム（１）で操作され且つ前記被施療者（Ｈ）に施療するマッサージ動作（Ｄ）のマッサージ強度を調整可能なマッサージ装置（Ｍ）を有していることを特徴とするマッサージシステム。
【発明の詳細な説明】
【技術分野】
【０００１】
本発明は、マッサージ装置を操作する操作システム、操作プログラム、及び、操作システムとマッサージ装置を有するマッサージシステムに関する。
【背景技術】
【０００２】
従来、被施療者の身体を支持しつつ、内蔵された施療機構で施療を実行する本体部を少なくとも備えると共に、使用に係る操作を受付ける操作部が前記本体部の外部に本体部とは別体として離隔配設されるマッサージ機が知られている（特許文献１参照）。
このマッサージ機は、前記操作部が、被施療者の選択可能な前記本体部による施療内容を表す所定の表示を実行する表示手段と、当該表示手段の表示に基づく被施療者からの操作入力を受付ける入力手段と、施療内容に係るデータを格納する記憶手段と、前記入力手段で受付けた操作に対応する施療内容での施療実行を指示する信号を前記本体部に送出する操作制御手段と、所定の携帯通信端末から送信された施療内容に係るデータを受信する通信接続手段とを少なくとも備え、前記携帯通信端末から送信される施療内容に係るデータは、携帯通信端末で作成、編集、及び／又は外部ネットワークを経てダウンロードされたデータであり、前記操作制御手段が、前記記憶手段に既に格納されているデータより前記通信接続手段で受信したデータが新しい場合には、記憶手段のデータを通信接続手段で受取ったデータに置換えて更新すると共に、前記表示手段の施療内容を表す表示では、記憶手段の更新されたデータに基づく表示を表示手段に実行させ、また、記憶手段の更新されたデータを、当該データに対応する施療内容での施療実行を指示する信号が送出される際、又はより以前の時点で、前記本体部に送信する。
【先行技術文献】
【特許文献】
【０００３】
【特許文献１】特開２０１４−３９６１２号公報
【発明の概要】
【発明が解決しようとする課題】
【０００４】
しかしながら、特許文献１に記載されたマッサージ機は、揉み玉を動作させるメカユニットや、エアポンプによる空気の給排で動作する臀部用エアセル、大腿用エアセル、背中用エアセル及び腰用エアセル、更には、定規に移動しつつ脚を押圧するローラなど、多くの種類の施療機構を有しているものの、表示手段には、それぞれの施療状態が個別に表示されるのみで、被施療者等には、様々な施療動作全体として、どのような施療が行われるかを把握し難い。
又、特許文献１のマッサージ機では、各種の施療内容に係るデータの編集は出来るものの、それら各種の施療内容の関係性を直観的に把握できないため、被施療者等が意図した通りに編集できず、適切な施療を受けられるようにするのは困難となる。
【０００５】
本発明は、このような点に鑑み、マッサージ動作の種類数や個数によらず、同時に編集可能な編集部と同時に表示可能な表示部を有し、種類ごとに各マッサージ動作を並べた所定方向における位置でその開始時間及び終了時間を表示することで、複数種のマッサージ動作を直観的に編集・表示でき、被施療者等の操作性を向上した操作システム、操作プログラム、及びマッサージシステムを提供することを目的とする。
【課題を解決するための手段】
【０００６】
本発明の操作システム１は、被施療者Ｈを複数種の施療体Ｂでマッサージするマッサージ装置Ｍを操作する操作システムであって、当該操作システムへの操作入力Ｎに基づいて前記マッサージ装置Ｍに実行させる施療コースＲにおける複数種の施療体Ｂによるマッサージ動作Ｄを１つだけ又は複数同時に編集可能な編集部２と、前記施療コースＲにおける複数種の施療体Ｂによるマッサージ動作Ｄを複数同時に表示可能な表示部３を有し、前記マッサージ動作Ｄは、前記施療コースＲの実行が開始されてから当該マッサージ動作Ｄの施療を開始する開始時刻Ｋ及び当該マッサージ動作Ｄの施療を終了する終了時刻Ｅを少なくともマッサージ動作情報Ｊとして含み、前記編集部２が前記マッサージ動作Ｄの開始時刻Ｋ及び終了時刻Ｅを編集する際には、前記表示部３は、前記施療体Ｂの種類ごとに各マッサージ動作Ｄを所定方向に沿って並べて、前記所定方向における位置Ｐで各マッサージ動作Ｄの開始時刻Ｋ及び終了時刻Ｅを表示していることを第１の特徴とする。
【０００７】
本発明の操作システム１の第２の特徴は、上記第１の特徴に加えて、前記編集部２は、前記施療体Ｂの種類を跨いで、複数のマッサージ動作Ｄを一括して編集する点にある。
【０００８】
本発明の操作システム１の第３の特徴は、被施療者Ｈを１種又は複数種の施療体Ｂでマッサージするマッサージ装置Ｍを操作する操作システムであって、当該操作システムへの操作入力Ｎに基づいて前記マッサージ装置Ｍに実行させる施療コースＲにおける１種又は複数種の施療体Ｂによるマッサージ動作Ｄを１つだけ又は複数同時に編集可能な編集部２と、前記施療コースＲにおける１種又は複数種の施療体Ｂによるマッサージ動作Ｄを１つだけ又は複数同時に表示可能な表示部３を有し、前記マッサージ動作Ｄは、前記施療コースＲの実行が開始されてから当該マッサージ動作Ｄの施療を開始する開始時刻Ｋ及び当該マッサージ動作Ｄの施療を終了する終了時刻Ｅを少なくともマッサージ動作情報Ｊとして含み、前記編集部２が前記マッサージ動作Ｄの開始時刻Ｋ及び終了時刻Ｅを編集する際には、前記表示部３は、前記施療体Ｂの種類ごとに各マッサージ動作Ｄを所定方向に沿って並べて、前記所定方向における位置Ｐで各マッサージ動作Ｄの開始時刻Ｋ及び終了時刻Ｅを表示すると共に、前記編集部２は、あるマッサージ動作Ｄの開始時刻Ｋ及び終了時刻Ｅを表示する位置Ｐを、別のマッサージ動作Ｄが存在する位置Ｐへ移動させられない点にある。
【０００９】
これらの特徴により、１種又は複数種のマッサージ動作Ｄを複数同時に編集可能な編集部２と、同時に表示可能な表示部３を有することで、マッサージ動作Ｄの種類や数を問わず、被施療者Ｈを含む使用者Ｈ’にとって、一見して、マッサージ動作Ｄにおけるマッサージ動作情報Ｊやその編集状態が常に確認可能となる。
つまり、マッサージ動作Ｄが複数種であるか、１種類でも複数個であるかを問わず、被施療者Ｈ等にとって、編集の変化が視覚的に理解し易く、複数種等のマッサージ動作Ｄ全体を直観的に編集・表示できる。
これと同時に、マッサージ動作Ｄの開始時間Ｋ及び終了時間Ｅを編集する際には、種類ごとに各マッサージ動作Ｄを並べた所定方向Ｔにおける位置Ｐで各マッサージ動作Ｄの開始時間Ｋ及び終了時間Ｅを表示することで、マッサージ動作Ｄが複数種、複数個であっても、その種類や個々を跨いで、各種・各個のマッサージ動作Ｄの関係性を把握し易く、被施療者Ｈを含めた使用者Ｈ’等が意図した通りに編集でき（「被施療者Ｈ等の操作性の向上」）、適切な施療を受け易くなる。
尚、複数種のマッサージ動作Ｄを同時編集している場面であれば、あるマッサージ動作Ｄの開始時間Ｋ及び終了時間Ｅに対する、他のマッサージ動作Ｄの相対的な開始時間Ｋ及び相対的な終了時間Ｅも編集することとなり、更に「被施療者Ｈ等の操作性の向上」を発揮する。
本発明の操作システム１は、マッサージ装置Ｍに対する視覚的な操作を可能とすることから、「ビジュアルインターフェイス」であると言える。
本発明における「操作システム１」とは、被施療者Ｈをマッサージするマッサージ装置Ｍを操作するものであれば、何れの構成であっても良く、マッサージ装置Ｍを操作する操作装置Ｃ（例えば、スマートフォン、タブレット型端末、携帯電話等や、マッサージ装置Ｍ専用のコントローラなど）そのものであったり、マッサージ装置Ｍ自体に内蔵されていたり、ネットワークＷを介して操作するものであっても構わない。
又、本発明の操作システム１には、操作対象であるマッサージ装置Ｍは含まれておらず、当該操作システム１とマッサージ装置Ｍを含むシステムは、別途、本発明に係るマッサージシステム１００とする。
【００１０】
又、編集部２でマッサージ動作Ｄを１つずつ指定して編集し、指定マッサージ動作Ｄｓを、表示部３によって、非指定マッサージ動作Ｄｈと異なる状態に表示することで、マッサージ動作Ｄが複数種や複数個であっても、被施療者Ｈ等に、自分が編集している指定マッサージ動作Ｄｓを認識させることが出来る。
よって、入力機器が、キーボードのようにボタンの多いものではなく、タッチパネルやマウス、カーソル等のように、入力ボタンが少ない（つまり、被施療者Ｈ等に操作負担が少ない）ポインティングデバイスである場合でも、指定した指定マッサージ動作Ｄを、移動（スライド）させたり、マッサージ施療時間を拡大・縮小（拡縮）する編集も可能となり、更なる操作性の向上と同時に、操作の幅が広がる。
尚、本発明における非指定マッサージ動作Ｄｈと「異なる状態」とは、指定マッサージ動作Ｄｓが、非指定マッサージ動作Ｄｈとの間で被施療者Ｈ等が違いを認識（視認等）できるのであれば、何れの構成であっても良く、例えば、指定マッサージ動作Ｄｓだけを枠で囲んだり（編集対象を枠の有無で異なったり）、指定マッサージ動作Ｄｓだけを、非指定マッサージ動作Ｄｈと異なる色や大きさとする（色や大きさが異なる）など、何れであっても良い。
【００１１】
更に、表示部３が既に表示している非指定マッサージ動作Ｄｈを隠すことなく、指定マッサージ動作Ｄｓの開始時間Ｋ及び終了時間Ｅを編集することで、マッサージ動作Ｄが複数種又は複数個であっても、編集しない他の非指定マッサージ動作Ｄ全てを確認できる状態で指定マッサージ動作Ｄを編集可能なため、被施療者Ｈ等にとって、編集の変化や、各種・各個のマッサージ動作Ｄの関係性が更に視覚的に理解し易く、複数種等のマッサージ動作Ｄ全体を、編集の最中であっても、より直観的に編集・表示できる。
よって、被施療者Ｈ等が意図した編集を出来、更に高度な「被施療者Ｈ等の操作性の向上」が図られる。
尚、本発明における非指定マッサージ動作Ｄｈを「隠さない」とは、表示部３が既に表示している非指定マッサージ動作Ｄｈを、被施療者Ｈ等が認識（視認等）できるのであれば、何れの構成であっても良いが、例えば、別ウインドウ（別の小さい画面等）を新たに開かなかったり、表示部３が表示する全体（画面全体）を切り替えないことなど、何れであっても良い。
【００１２】
本発明の操作プログラムＳは、被施療者Ｈを１種又は複数種の施療体Ｂでマッサージするマッサージ装置Ｍを操作システム１で操作する操作プログラムであって、前記操作システム１に、当該操作システム１への操作入力Ｎに基づいて前記マッサージ装置Ｍに実行させる施療コースＲにおける１種又は複数種の施療体Ｂによるマッサージ動作Ｄを１つだけ又は複数同時に編集可能な編集ステップＳ−Ｅと、前記施療コースＲにおける１種又は複数種の施療体Ｂによるマッサージ動作Ｄを１つだけ又は複数同時に表示可能な表示ステップＳ−Ｄを実行させ、前記マッサージ動作Ｄは、前記施療コースＲの実行が開始されてから当該マッサージ動作Ｄの施療を開始する開始時刻Ｋ及び当該マッサージ動作Ｄの施療を終了する終了時刻Ｅを少なくともマッサージ動作情報Ｊとして含み、前記マッサージ動作Ｄの開始時刻Ｋ及び終了時刻Ｅを編集する際には、前記編集ステップＳ−Ｅと表示ステップＳ−Ｄを同時に実行させることによって、前記施療体Ｂの種類ごとに各マッサージ動作Ｄを並べた所定方向における位置Ｐで各マッサージ動作Ｄの開始時刻Ｋ及び終了時刻Ｅを表示して、前記所定方向における位置Ｐの変更を、前記マッサージ動作Ｄの開始時刻Ｋ及び終了時刻Ｅの編集とすると共に、この編集の際には、あるマッサージ動作Ｄの開始時刻Ｋ及び終了時刻Ｅを表示する位置Ｐを、別のマッサージ動作Ｄが存在する位置Ｐへ変更させられないことを第１の特徴とする。
【００１３】
この特徴により、編集ステップＳ−Ｅでマッサージ動作Ｄの開始時間Ｋ及び終了時間Ｅを編集する際には、１種又は複数種のマッサージ動作Ｄを複数同時に編集可能な編集ステップＳ−Ｅと複数同時に表示可能な表示ステップＳ−Ｄを同時に実行させることによって、各マッサージ動作Ｄを並べた所定方向Ｔにおける位置Ｐの変更を、マッサージ動作Ｄの開始時間Ｋ及び終了時間Ｅの編集とすることで、マッサージ動作Ｄの種類や数を問わず、被施療者Ｈ等にとって、一見して、マッサージ動作Ｄにおけるマッサージ動作情報Ｊやその編集状態が常に確認可能となって、編集の変化や各種・各個のマッサージ動作Ｄの関係性が視覚的に理解し易く、複数種等のマッサージ動作Ｄ全体を直観的に編集・表示でき（「被施療者Ｈ等の操作性の向上」）、適切な施療を受け易くなる。
尚、本発明の操作プログラムＳも、複数種のマッサージ動作Ｄを同時編集している場面であれば、あるマッサージ動作Ｄの開始時間Ｋ及び終了時間Ｅに対する、他のマッサージ動作Ｄの相対的な開始時間Ｋ及び相対的な終了時間Ｅも編集することとなる。
本発明の操作プログラムＳは、マッサージ装置Ｍを操作するプログラム（アプリケーション）であることから、「マッサージ機（マッサージ装置）アプリ」であると言える。
【００１４】
その他、動作編集システム１’は、動作Ｄ’を編集する動作編集システムであって、当該動作編集システムへの入力Ｎ’に基づいて１種又は複数種の動作Ｄ’を複数同時に編集可能な編集部２’と、前記１種又は複数種の動作Ｄ’を複数同時に表示可能な表示部３’を有し、前記動作Ｄ’は、その開始時間Ｋ’及び終了時間Ｅ’を少なくとも動作情報Ｊ’として含み、前記編集部２’が前記動作Ｄ’の開始時間Ｋ’及び終了時間Ｅ’を編集する際には、前記表示部３’は、前記動作Ｄ’の種類ごとに各動作Ｄ’を所定方向に沿って並べて、前記所定方向における位置Ｐ’で各動作Ｄ’の開始時間Ｋ’及び終了時間Ｅ’を表示していても良い。
【００１５】
この場合には、１種又は複数種の動作Ｄ’を複数同時に編集可能な編集部２’と、同時に表示可能な表示部３’を有し、動作Ｄ’の開始時間Ｋ’及び終了時間Ｅ’を編集する際には、種類ごとに各動作Ｄ’を並べた所定方向Ｔ’における位置Ｐ’で各動作Ｄ’の開始時間Ｋ’及び終了時間Ｅ’を表示することで、動作Ｄ’の種類や数を問わず、使用者Ｈ’にとって、一見して、動作Ｄ’における動作情報Ｊ’やその編集状態が常に確認可能となって、編集の変化や各種・各個の動作Ｄ’の関係性が視覚的に理解し易く、複数種等の動作Ｄ’全体を直観的に編集・表示できる（「使用者Ｈ’の編集操作性の向上」）。
尚、本発明の動作編集システムも、複数種の動作Ｄ’を同時編集している場面であれば、ある動作Ｄ’の開始時間Ｋ’及び終了時間Ｅ’に対する、他の動作Ｄ’の相対的な開始時間Ｋ’及び相対的な終了時間Ｅ’も編集することとなる。
【００１６】
本発明のマッサージシステム１００の第１の特徴として、上述した操作システム１と、この操作システム１で操作され且つ前記被施療者Ｈに施療するマッサージ動作Ｄのマッサージ強度を調整可能なマッサージ装置Ｍを有していることとしても良い。
【発明の効果】
【００１７】
本発明に係る操作システム、操作プログラム、及びマッサージシステムによると、マッサージ動作の種類数や個数によらず、同時編集可能な編集部と同時表示可能な表示部を有し、種類ごとに各マッサージ動作を並べた所定方向における位置でその開始時間及び終了時間を表示することで、複数種のマッサージ動作を直観的に編集・表示でき、「被施療者等の操作性の向上」が図れる。
【図面の簡単な説明】
【００１８】
【図１】本発明の第１実施形態に係る操作システム及びマッサージシステムを示す概要図である。
【図２】マッサージ装置の実施例１を示す側面図である。
【図３】マッサージ装置の実施例１を示す正面図である。
【図４】マッサージ装置の実施例１における背凭れを後傾させた状態を示す側面図である。
【図５】マッサージ装置の実施例２を示す側面図である。
【図６】マッサージ装置の実施例３を示す側面図である。
【図７】マッサージ装置の実施例３を示す斜視図である。
【図８】マッサージ装置における立上り補助機能を示す概要図である。
【図９】操作装置の一例を示す概要図である。
【図１０】操作システムの編集部及び表示部による起動画面とメニュー表示画面を示す概要図である。
【図１１】編集部及び表示部による施療コース選択画面と施療コース開始画面を示す概要図である。
【図１２】編集部及び表示部による選択した施療コースの実行中画面を示す概要図である。
【図１３】編集部及び表示部による編集前画面を示す概要図である。
【図１４】編集部及び表示部による時間編集画面のアクションメニューバーを主に示す概要図である。
【図１５】編集部及び表示部による時間編集画面のマッサージ動作追加メニューバーを主に示す概要図である。
【図１６】編集部及び表示部による時間編集画面のマッサージ動作編集メニューバーを主に示す概要図である。
【図１７】編集部及び表示部による時間編集画面のマッサージ動作の移動を示す概要図である。
【図１８】編集部及び表示部による時間編集画面のマッサージ動作のマッサージ施療時間の拡縮を示す概要図である。
【図１９】編集部及び表示部による時間編集画面の複数種編集メニューバーにおける複写・貼付を示す概要図である。
【図２０】編集部及び表示部による時間編集画面の複数種編集メニューバーにおける挿入を示す概要図である。
【図２１】編集部及び表示部による時間編集画面の複数種編集メニューバーにおける削除を示す概要図である。
【図２２】編集部及び表示部によるマッサージ動作の情報編集画面におけるマッサージ部位設定ウインドウを示す概要図である。
【図２３】編集部及び表示部によるマッサージ動作の情報編集画面におけるマッサージ手技設定ウインドウを示す概要図である。
【図２４】編集部及び表示部によるマッサージ動作の情報編集画面におけるマッサージ強度・施療時間設定ウインドウを示す概要図である。
【図２５】本発明に係る操作プログラムを示すフローチャートである。
【図２６】本発明に係る第２実施形態の操作システム及びマッサージシステムを示す概要図である。
【図２７】本発明に係る第３実施形態の操作システム及びマッサージシステムを示す概要図である。
【図２８】動作編集システムを示す概要図である。
【発明を実施するための形態】
【００１９】
以下、本発明の実施形態を、図面を参照して説明する。
＜操作システム１及びマッサージシステム１００の全体構成＞
図１、９〜２４、２６、２７には、本発明に係る操作システム１及びマッサージシステム１００が示されている。
このうち、操作システム１は、被施療者Ｈをマッサージするマッサージ装置Ｍを操作するものであって、当該操作システム１への操作入力Ｎに基づいてマッサージ装置Ｍにおけるマッサージ動作Ｄを編集可能な編集部２と、マッサージ動作Ｄを表示可能な表示部３を有している。
【００２０】
操作システム１は、上述した編集部２と表示部３を有し、マッサージ装置Ｍを操作するものであれば、何れの構成であっても良く、マッサージ装置Ｍを操作する後述の操作装置Ｃ（例えば、スマートフォン等）そのものであったり、マッサージ装置Ｍ自体に内蔵されていたり、後述するネットワークＷを介して操作するものであっても構わない。
又、操作システム１には、マッサージ装置Ｍ自体は含まれておらず、上述したように、当該操作システム１とマッサージ装置Ｍを含むシステムは、別途、本発明に係るマッサージシステム１００とする。
以下は、まず、操作システム１の操作対象であるマッサージ装置Ｍの例について述べ、そのマッサージ装置Ｍでマッサージ動作Ｄを施す施療体Ｂと、マッサージ動作情報Ｊ、施療コースＲ、そして、マッサージ装置Ｍと別筐体である操作装置Ｃについても例示する。
【００２１】
＜マッサージ装置Ｍ＞
図１〜８に示されたように、マッサージ装置Ｍは、被施療者Ｈにマッサージ動作Ｄを施す（マッサージする）装置であって、マッサージ動作Ｄを施す施療体Ｂを有している。
尚、施療体Ｂで被施療者Ｈをマッサージ（施療）できるのであれば、椅子型、マットレス型、ベッド型の他、何れの構成であっても構わないが、ここでは、リクライニング可能な椅子型のマッサージ装置Ｍとして、実施例１〜３を以下で説明する。
【００２２】
＜マッサージ装置Ｍの実施例１＞
図２〜４には、マッサージ装置Ｍの実施例１が示されており、このマッサージ装置Ｍは、被施療者Ｈが着座する座部Ｍ１と、この座部Ｍ１を下方から支持する基台部Ｍ２と、座部Ｍ１の後端部から立設し且つ被施療者Ｈを背後から支える背凭れ部Ｍ３と、座部Ｍ１の左右端部から立設し且つ被施療者Ｈを左右から支える肘掛け部Ｍ４・Ｍ４と、座部Ｍ１の前端部に設けられ且つ被施療者Ｈの下腿を支えるオットマン（脚載せ部）Ｍ５を備えている。
尚、マッサージ装置Ｍにおける背凭れ部Ｍ３は、座部Ｍ１に対して後傾可能である。
【００２３】
又、マッサージ装置ＭにおけるオットマンＭ５は、背凭れ部Ｍ３の後傾時に上方回動して、被施療者Ｈの下腿を支える（図３参照）と共に、被施療者Ｈの下腿長さに応じて上下方向に伸縮可能に構成されている。
肘掛け部Ｍ４は、被施療者Ｈが、肘から前腕、手にかけてを載せられる腕載せＭ４ａが形成されており、この腕載せＭ４ａは、肘掛け部Ｍ４の左右方向内側から外側方向に向けて凹んでいる。
オットマンＭ５は、基台部Ｍ２の内部にオットマンＭ５が収納されるように構成されていても構わない。
【００２４】
尚、マッサージ装置Ｍは、温度を測る機能（温度計）、湿度を測る機能（湿度計）や、気圧を測る機能（気圧計）を備えている一方、時刻（日時）を検出する機能（時計）、ヒーター、加速度センサ、被施療者Ｈの体重を測る機能（体重計）、体脂肪率を測る機能（体脂肪計）等を備えていても良い。
【００２５】
＜施療体Ｂ＞
マッサージ装置Ｍにおける施療体Ｂは、上述の背凭れ部Ｍ３、左右の肘掛け部Ｍ４・Ｍ４、オットマンＭ５、座部Ｍ１などに設けられている。
以下に、施療体Ｂについて、詳解する。
【００２６】
図２〜７に示されたように、施療体Ｂは、被施療者Ｈをマッサージできるのであれば、何れの構成でも良いが、例えば、背凭れ部Ｍ３における施療体Ｂは、揉み玉（メカ（Mecha, Mechanism））Ｂ１で構成されており、この揉み玉Ｂ１で、被施療者Ｈのマッサージ部位（腰、背中、肩、首等）に、所定の強度、速度等で押圧や叩き、左右からの挟み込み等のマッサージ動作Ｄ（揉み玉動作Ｄ１）を施療する。
尚、揉み玉Ｂ１は、背凭れ部Ｍ３内で上下に延びた昇降レールＭ６に沿って昇降自在なマッサージユニットＭ７に設けられている。
【００２７】
このマッサージユニットＭ７は、上述の昇降駆動機構により昇降レールＭ６に沿って昇降自在なケースＭ８と、このケースＭ８内で前後移動駆動機構により前後移動自在に設けられた揉み玉保持枠Ｍ９を備えている。
この揉み玉保持枠Ｍ９に、左右一対の揉み玉Ｂ１・Ｂ１が、同じく左右一対の揺動アームＭ１０・Ｍ１０を介して、上下左右揺動自在に設けられている。
尚、背凭れ部Ｍ３における施療体Ｂとして、後述するエアバッグＢ２が、背凭れ部Ｍ３前面の左右端部や上端部に設けられていても良い。
【００２８】
左右の肘掛け部Ｍ４・Ｍ４における施療体Ｂは、エアバッグ（膨縮袋（Air, Air Bag））Ｂ２で構成されており、このエアバッグＢ２内に空気を吸入（エアバッグＢ２が膨張）したり、エアバッグＢ２内から空気を排気（エアバッグＢ２が収縮）したり、エアバッグＢ２内の空気量を保持したりして、被施療者Ｈのマッサージ部位（前腕等）を所定の強度、速度等で押圧などのマッサージ動作Ｄ（エアバッグ動作Ｄ２）を施療する。
肘掛け部Ｍ４のエアバッグＢ２は、当該肘掛け部Ｍ４（腕載せＭ４ａ）との間で密閉された空間を被うシート状の前腕用カバー（図示せず）と、この前腕用カバー内を空気孔（図示せず）を介して吸気・排気するエアポンプＭ１１を備えている。
【００２９】
オットマンＭ５における施療体Ｂも、エアバッグＢ２で構成されており、エアバッグＢ２が膨張・収縮して、被施療者Ｈのマッサージ部位（下腿、足の甲等の脚部（Leg ）や、足裏（Sole）など）を所定の強度、速度等で押圧などをすることによって、エアバッグ動作Ｄ２（マッサージ部位によっては、レッグ＆ソール（Leg & Sole）動作Ｄ２’、レッグ＆ソールのエアバッグＢ２’とも言える）を施療する。
オットマンＭ５のエアバッグＢ２は、当該オットマンＭ５との間で密閉された空間を被うシート状で左右一対の下腿用カバー及び足の甲・足裏用カバー（図示せず）を備え、これらの下腿、足の甲・足裏用カバー内を空気孔（図示せず）を介して吸気・排気するのは、肘掛け部Ｍ４と同様で、上述のエアポンプＭ１１である。
【００３０】
座部Ｍ１における施療体Ｂは、所定の板状体Ｂ３で構成されており、この板状体Ｂ３が座部Ｍ１上面に揺動自在に設けられて、着座する被施療者Ｈと接触するマッサージ部位（臀部、大腿裏部等）に、所定の強度、速度等で押圧などのマッサージ動作Ｄ（板状体動作Ｄ３）を施療する。
尚、マッサージ装置Ｍにおける板状体Ｂ３は、必ずしも設けられていなくとも良い。
【００３１】
＜マッサージ動作情報Ｊ、施療コースＲ＞
ここで、マッサージ装置Ｍにおけるマッサージ動作Ｄのマッサージ動作情報Ｊについて述べると、マッサージ動作情報Ｊとは、被施療者Ｈに施療するマッサージ動作Ｄの開始時間（開始時刻）Ｋ及び終了時間（終了時刻）Ｅを含み（これらにより、各マッサージ動作Ｄの実際のマッサージ施療時間もわかる）、この他、マッサージ部位、マッサージ手技、マッサージ強度、マッサージ速度のうち少なくとも１つに関するパラメータを含むものである。
このようなマッサージ動作情報Ｊのうち、マッサージ部位のパラメータから、マッサージ装置Ｍにおける施療体Ｂのうち実際にマッサージ動作Ｄをする施療体Ｂ（背凭れ部Ｍ３の揉み玉Ｂ１か、左右の肘掛け部Ｍ４・Ｍ４やオットマンＭ５のエアバッグＢ２か、座部Ｍ１の板状体Ｂ３か）が決まる。
【００３２】
マッサージ動作情報Ｊのうち、マッサージ手技、マッサージ強度、マッサージ速度のパラメータから、ケースＭ８、揉み玉保持枠Ｍ９の移動（駆動）距離・経路や移動（駆動）速度、移動（駆動）加速度や、エアポンプＭ１１が吸気・排気する空気量や、吸気・排気の速度、板状体Ｂ３を揺動させる揺動機器の揺動速度、揺動加速度が決まる。
これらのマッサージ動作情報Ｊを持つマッサージ動作Ｄが、複数集まって順番に、施療体Ｂに被施療者Ｈをマッサージさせるものを施療コースＲとする。
【００３３】
＜マッサージ装置Ｍの実施例２＞
図５には、マッサージ装置Ｍの実施例２が示されている。
この実施例２において実施例１と最も異なるのは、着座した被施療者Ｈの肩または上腕側方をマッサージする施療体Ｂを備えている点である。
【００３４】
この施療体Ｂは、背凭れ部Ｍ３前面部の左右端における上下方向中途部に、前上方に突出した側面視略台形状で左右一対の施療片Ｍ１２・Ｍ１２が取り付けられ、この施療片Ｍ１２・Ｍ１２の左右方向内側面に施療体Ｂが設けられている。
各施療片Ｍ１２における施療体Ｂは、エアバッグＢ２で構成されており、エアバッグＢ２が膨張・収縮して、被施療者Ｈのマッサージ部位（肩、上腕側方等）を所定の強度、速度等で押圧などをすることによって、マッサージ動作Ｄを施療する。
施療片Ｍ１２のエアバッグＢ２は、当該施療片Ｍ１２との間で密閉された空間を被うシート状で左右一対の肩用カバー（図示せず）と、これらの肩用カバー内を空気孔（図示せず）を介して吸気・排気するのは、肘掛け部Ｍ４やオットマンＭ５と同様のエアポンプＭ１１である。
【００３５】
又、実施例２のマッサージ装置Ｍは、施療片Ｍ１２と肘掛け部Ｍ４間の上下位置で且つ背凭れ部Ｍ３前面部の左右端に、施療体Ｂとして、略円板状で左右一対の振動マッサージ器Ｂ４を設けていても良く、この振動マッサージ器Ｂ４は、振動を発生して被施療者Ｈに振動マッサージ（振動マッサージ動作Ｄ４）を施療する。
そして、この振動マッサージ器Ｂ４は、肘掛け部Ｍ４の腕載せＭ４ａ内底面や、オットマンＭ５における被施療者Ｈの下腿や足裏等が当接する部分に設けられていても構わない。
その他のマッサージ装置Ｍの構成、作用効果及び使用態様は、実施例１と同様である。
【００３６】
＜マッサージ装置Ｍの実施例３＞
図６、７には、マッサージ装置Ｍの実施例３が示されている。
この実施例３は、施療片Ｍ１２を有している点は、実施例２と同様であるが、実施例２との違いは、この施療片Ｍ１２の形状・大きさの他、座部Ｍ１、基台部Ｍ２等の形状・大きさである。
【００３７】
実施例３の施療片Ｍ１２は、側面視略半楕円状であって、実施例２の施療片Ｍ１２より大きく、被施療者Ｈの肩、上腕側方等をより広範囲にマッサージ動作Ｄを施療することが出来る。
又、実施例３の座部Ｍ１、基台部Ｍ２は、側面視で、上述の施療片Ｍ１２の側面形状に続くように丸みを帯びたデザインとなっている。
【００３８】
更に、実施例３は、実施例２における振動マッサージ器Ｂ４の代わりに、施療体Ｂとして板状体Ｂ３が揺動自在に設けられ、着座する被施療者Ｈと接触するマッサージ部位（腰上部の左右部分等）を所定の強度、速度等で押圧などをすることによって、マッサージ動作Ｄを施療することとしても構わない。
この場合、板状体Ｂ３の前面（被施療者Ｈ側の面）に凸部を形成しても良く、この凸部によって、被施療者Ｈの腰上部周辺のツボを刺激することが出来る。
【００３９】
尚、図７で示したように、実施例３に限らず、実施例１、２も同様であるが、背凭れ部Ｍ３の前面には、被施療者Ｈの頭を支える枕状クッションＭ１３や、被施療者Ｈの肩を支える左右一対の肩クッションＭ１４・Ｍ１４を設けていても良い。
又、図７において、一方の肘掛け部Ｍ４から立設する支持具に、有線のリモコンが取り付けられているが、操作装置Ｃは、このリモコンに限定されず、次に、操作装置Ｃについて述べる。
尚、その他のマッサージ装置Ｍの構成、作用効果及び使用態様は、実施例１、２と同様である。
【００４０】
＜揉み玉Ｂ１の突出し量Ｌ＞
マッサージ装置Ｍは、施療体Ｂの１つである揉み玉Ｂ１を用いたマッサージ動作Ｄでも、マッサージ手技の種類ごとに、そのマッサージ強度を設定できるようにしても良い。
このマッサージ強度は、被施療者Ｈが望む程度（ｓｏｆｔ（弱め）／ｍｏｄｅｒａｔｅ（中くらい）／ｈａｒｄ（強め））に応じて、調整可能としても良い。
揉み玉Ｂ１におけるマッサージ強度は、調整が出来るのであれば何れの構成であっても良いが、例えば、揉み玉Ｂ１の被施療者Ｈ側への突出し量Ｌを、揉み玉Ｂ１を前後移動させる前後移動駆動機構（ステッピングモータ等）をパルスの数で制御して調整する構成であっても構わない。
【００４１】
揉み玉Ｂ１の突出し量Ｌは、揉み玉Ｂ１による各マッサージ手技ごとに、事前に設定しても良く、その例を、以下の表１に示す。
【００４２】
【表１】
0005791136.tif 000002
【００４３】
上述した表１は、被施療者Ｈが望む３つの程度「ｓｏｆｔ／ｍｏｄｅｒａｔｅ／ｈａｒｄ」を、それぞれ更に５段階に分けて（つまり、ｓｏｆｔ１〜５、ｍｏｄｅｒａｔｅ１〜５、ｈａｒｄ１〜５）、各程度のうち、数字が大きいほど、マッサージ強度は強くなる。  表１における縦軸は、各マッサージ手技における３つの程度であるが、横軸は、被施療者Ｈの体表面から体の内側への突出し量（押込み量とも言える）Ｌに相当するパルス数である。
このパルス数の例としては「０〜１５」の数字が示されており、これも数字が大きいほど、揉み玉Ｂ１の突き出すこととなり、マッサージ強度は強くなる。
【００４４】
尚、表１横軸の数字「０」は、被施療者Ｈの体表面から揉み玉Ｂ１を突き出す（押し込む）ことなく、ただ当てただけの状態を表す。
又、被施療者Ｈの体表面の位置は、その被施療者Ｈごとに異なるが、実際にマッサージが施療される前に体表面をセンシングして良く、このセンシングが出来るのであれば、何れの構成でも良いが、例えば、揉み玉Ｂ１を被施療者Ｈ側へ突き出して、初めて負荷がかかる位置を体表面としても良い。
ここまでは、施療体Ｂとして揉み玉Ｂ１について述べてきたが、当然、揉み玉Ｂ１以外の施療体Ｂ（エアバッグＢ２、レッグ＆ソールのエアバッグＢ２’、板状体Ｂ３、振動マッサージ器Ｂ４）によるマッサージ強度を調整可能としても良い。
【００４５】
＜立上り補助機能＞
図８に示したように、マッサージ装置Ｍは、座部Ｍ１における座面に角度がついている（後傾している）場合、上述したエアバッグＢ２のうち、被施療者Ｈに対するマッサージ部が臀部のエアバッグＢ２−１等を、被施療者Ｈが立ち上がる際に膨張等をさせる（つまり、座面を膨らませる）ことによって、被施療者Ｈの立上りを補助する機能を有していても良い。
これによって、マッサージ装置Ｍが、後述する宙に浮いているかのような無重力（Zero Gravity）用であっても、高齢者等の被施療者Ｈにとって、より快適な施療を提供できる。
【００４６】
尚、被施療者Ｈが立ち上がる際に膨張等をさせるのが、少なくとも臀部のエアバッグＢ２−１等であっても良く、臀部のエアバッグＢ２−１だけでなく、同時に、背中下部のエアバッグＢ２−２を膨張等させることで、更なる立上り補助機能を発揮させても良い。
又、例示した臀部や背中下部のエアバッグＢ２−１、２等は、元々、マッサージ装置Ｍが有していれば、新たな施療体Ｂを追加することなく、立上り補助機能が実現できる。
【００４７】
＜操作装置Ｃ＞
図９に示したように、操作装置Ｃは、マッサージ装置Ｍを操作するものであって、構成は特に限定されず、有線・無線も問わないが、被施療者Ｈを含む使用者Ｈ’が普段携帯している電子機器、例えば、スマートフォンや、タブレット型端末、携帯電話、ＰＤＡ（携帯情報端末）、ノート型ＰＣ等のユーザ端末でも構わない。
以下は、操作装置Ｃとして、スマートフォンを例に説明するが、本発明においては、当然、スマートフォンに限定されるものではない。
【００４８】
ここでは、表示画面Ｃ１、タッチパネル（タッチスクリーン）Ｃ２、入力ボタンＣ３、入力マイクＣ４、スピーカＣ５、カメラＣ６等を備えた一般的なスマートフォンを、操作装置Ｃとして想定している。
図９〜２４に示されたように、スマートフォンＣの表示画面Ｃ１には、後述する起動画面Ｇ１、メニュー表示画面Ｇ２、施療コース選択画面Ｇ３、施療コース開始画面Ｇ４、実行中画面Ｇ５、編集前画面Ｇ６、時間編集画面Ｇ７、情報編集画面Ｇ８等が表示される。
この他、表示画面Ｃ１に、被施療者Ｈの氏名、性別、身長、体重や、日付、時刻（日時）、温度（気温、室温）、湿度、天候等の被施療者Ｈの環境に関して、表示されていても良い。
【００４９】
＜第１実施形態に係る操作システム１及びマッサージシステム１００＞
図１、９〜２４には、本発明の第１実施形態に係る操作システム１及びマッサージシステム１００が示されている。
特に図１に示されたように、この第１実施形態に係る操作システム１及びマッサージシステム１００は、実施例１〜３などの施療体Ｂを有したマッサージ装置Ｍを操作するものであり、上述した編集部２と表示部３が、操作装置（スマートフォン）Ｃに設けられている点が特徴である。
【００５０】
第１実施形態においては、スマートフォンＣに、操作入力Ｎを受け付ける入力部１１や、マッサージ装置Ｍにおけるマッサージ動作Ｄのマッサージ動作情報Ｊや施療コースＲを記憶する記憶部１２、操作入力Ｎやマッサージ動作情報Ｊ等についてスマートフォンＣの外部にあるマッサージ装置Ｍと送受信する操作通信部１３、そして、編集部２、表示部３、入力部１１、記憶部１２、操作通信部１３を制御する操作制御部１４が設けられていても良い。
更に、第１実施形態においては、マッサージ装置Ｍに、スマートフォンＣの操作通信部１３と操作入力Ｎやマッサージ動作情報Ｊ等について送受信するマッサージ通信部１５や、操作入力Ｎやマッサージ動作情報Ｊ等に基づいてマッサージ装置Ｍにおける施療体Ｂを制御して被施療者Ｈを施療するマッサージ制御部１６が設けられていても良い。
以下は、まず編集部２と表示部３について述べる。
【００５１】
＜編集部２＞
図１、９〜２４に示されたように、編集部２は、マッサージ装置Ｍにおける１種又は複数種のマッサージ動作Ｄを複数同時に編集可能な機能（サービス）を提供するものであって、操作システム１への操作入力Ｎに基づいて編集を行う。
尚、本発明における「１種又は複数種のマッサージ動作Ｄを複数同時に編集可能」とは、１種のマッサージ動作Ｄを複数同時に編集することも可能であり、複数種のマッサージ動作Ｄ（各種類におけるマッサージ動作Ｄの個数は何れでも良い）を複数同時に編集することも可能であり、１種のマッサージ動作Ｄを１つだけ編集することも可能との意味である。
【００５２】
図９、１４〜２１に示されたように、編集部２がマッサージ動作Ｄの開始時間Ｋ及び終了時間Ｅを編集する際には、スマートフォンＣの表示画面Ｃ１では、マッサージ動作Ｄの種類（メカ（Mecha ）、エアバッグ（Air ）、レッグ＆ソール（Leg & Sole））ごとに各マッサージ動作Ｄを並べた所定方向（縦方向）Ｔにおける位置Ｐで、各マッサージ動作Ｄの開始時間Ｋ及び終了時間Ｅが表示されている。
特に図９や図１９〜２１のように、複数種のマッサージ動作Ｄを同時編集している場面であれば、あるマッサージ動作Ｄの開始時間Ｋ及び終了時間Ｅに対する、他のマッサージ動作Ｄの相対的な開始時間Ｋ及び相対的な終了時間Ｅも編集することとなる。
従って、編集部２は、単に、１種又は複数種のマッサージ動作Ｄを複数同時に編集可能な機能を提供するコンピュータ（中央処理装置（ＣＰＵ））又はソフトウェアだけでなく、スマートフォン（操作装置）Ｃの表示画面Ｃ１も、編集部２の一部を構成していると言える。
【００５３】
又、操作装置（スマートフォン）Ｃにおいて、各マッサージ動作Ｄの縦方向Ｔにおける位置Ｐを変えることは、入力機器（タッチパネル）Ｃ２によって行われ、あるマッサージ動作Ｄの縦方向Ｔにおける位置Ｐが変われば、他のマッサージ動作Ｄの相対的な開始時間Ｋ及び相対的な終了時間Ｅも編集していると言える。
従って、編集部２は、マッサージ動作Ｄを複数同時に編集可能な機能を提供するコンピュータ（中央処理装置（ＣＰＵ））、ソフトウェア、スマートフォン（操作装置）Ｃの表示画面Ｃ１だけでなく、操作システム１への操作入力Ｎを受け付ける入力機器（タッチパネル）Ｃ２も、編集部２の一部を構成していると言える。
【００５４】
尚、本発明における「タッチパネルＣ２」とは、ＪＩＳ−Ｂ−３５５１：２０１２に規定されているように、表示部３（表示画面Ｃ１）上に装着される透明なスイッチを意味し、ポインティングデバイスの１種である。
本発明における「ポインティングデバイス」とは、ＪＩＳ−Ｘ−９３０３−３：２００６の４．４に規定されたように、使用者（被施療者Ｈを含む）Ｈ’によるポインタアイコンの制御を可能にする入力機器を意味する。
本発明における「ポインタアイコン」とは、ＪＩＳ−Ｘ−９３０３−１：２００６の４．１４に規定されたように、物理的な入力装置（入力機器）に、論理的に結びついているアイコンを意味し、使用者（被施療者Ｈを含む）Ｈ’は、他の画面構成要素と対話するためにこれを操作するものである。
【００５５】
＜表示部３＞
図１、９〜２４に示されたように、表示部３は、マッサージ装置Ｍにおける１種又は複数種のマッサージ動作Ｄを複数同時に表示可能な機器である。
尚、本発明における「１種又は複数種のマッサージ動作Ｄを複数同時に表示可能」とは、１種のマッサージ動作Ｄを複数同時に表示することも可能であり、複数種のマッサージ動作Ｄ（各種類におけるマッサージ動作Ｄの個数は何れでも良い）を複数同時に表示することも可能であり、１種のマッサージ動作Ｄを１つだけ表示することも可能との意味である。
【００５６】
この表示部３は、操作装置Ｃがスマートフォンであれば、表示画面Ｃ１が相当する。
この表示画面Ｃ１には、操作システム１でマッサージ装置Ｍを操作する際に用いる起動画面Ｇ１、メニュー表示画面Ｇ２、施療コース選択画面Ｇ３、施療コース開始画面Ｇ４、実行中画面Ｇ５、編集前画面Ｇ６が表示される。
一方、表示部３である表示画面Ｃ１には、操作システム１の編集部２でマッサージ動作Ｄを編集する際に用いる時間編集画面Ｇ７と情報編集画面Ｇ８も表示される。
そこで、これらの画面Ｇ１〜Ｇ８について、以下に詳解する。
【００５７】
＜起動画面Ｇ１とメニュー表示画面Ｇ２＞
図１０には、起動画面Ｇ１とメニュー表示画面Ｇ２が示されている。
図１０における起動画面Ｇ１とメニュー表示画面Ｇ２との間の矢印は、起動画面Ｇ１による起動後に、メニュー表示画面Ｇ２に移り変わることを表している。
起動画面Ｇ１は、スマートフォンＣで、後述する本発明の操作プログラムＳを起動させた時に表示される画面である。
尚、操作プログラムＳは、マッサージ装置Ｍに対する視覚的な操作を可能とするプログラム（アプリケーション）であることから、「マッサージ機（マッサージ装置）アプリ」とも言える。
【００５８】
メニュー表示画面Ｇ２は、操作プログラムＳが起動された後に表示される画面であって、様々な操作メニューを表示しており、これら表示される操作メニュー（各種コース）を例を示すが、当然、以下の例に限定されるものではない。
図１０に示されたように、メニュー表示画面Ｇ２における左列の一番上には、Ｌｏｈａｓ（Lifestyles of Health and Sustainability 、健康と持続性とを重視する生活様式）を意識したオートコース（「Ｌｏｈａｓオートコース」）が表示されている。
尚、本発明における「オートコース」とは、予め用意された施療コースＲに基づいて、自動で一連のマッサージ動作Ｄを被施療者Ｈに施療するコースを意味する。
【００５９】
この他、メニュー表示画面Ｇ２における左列には、この「Ｌｏｈａｓオートコース」の下に、Ｐｏｓｉｔｉｏｎ（マッサージ部位）に注視したオートコース（「Ｐｏｓｉｔｉｏｎオートコース」）、主にＥｌｄｅｒ（高齢者）を対象とした「高齢者向けオートコース」、後述する記憶部１２に記憶され且つ被施療者Ｈ等が過去に編集したコース（施療コースＲ）を意味する「メモリコース」が表示されている。
図１０に示されたように、メニュー表示画面Ｇ２における右列の一番上から順に、被施療者Ｈ等が各マッサージ動作情報Ｊをその都度入力（操作入力）をしてマッサージ動作Ｄの施療を受ける「マニュアルコース」、４つの施療体Ｂで同時に施療するとの意味の「４Ｄ  Ｅｘｔｅｒｍｅｌｙ  オートコース」、そして、上述の編集部２及び表示部３によって編集（個別化、customize ）する「カスタマイズコース（編集）」、被施療者Ｈ等が好み（Favorite）な「お気に入りコース」が表示されている。
【００６０】
これら各コースは、メニュー表示画面Ｇ２におけるリストタブのうち、「コース（COURSE）」を選択された場合に表示され、この他のリストタブ「その他（OTHER ）」を選択した場合には、上述した８つのコース以外のものが表示される。
又、リストタブ「ダウンロード（DOWNLOAD）」を選択した場合は、ネットワークＷ上の何れかのサイトからスマートフォンＣにダウンロードしたコース（施療コースＲ）が表示されるものとしても良い。
メニュー表示画面Ｇ２では、入力機器（タッチパネル）Ｃ２で、何れかのコースが選択され、この選択は、操作入力Ｎの一種となる。
【００６１】
＜施療コース選択画面Ｇ３と施療コース開始画面Ｇ４＞
図１１には、施療コース選択画面Ｇ３と施療コース開始画面Ｇ４が示されている。
図１１における施療コース選択画面Ｇ３と施療コース開始画面Ｇ４との間の矢印も、施療コース選択画面Ｇ３でいずれかの施療コースＲを選択した後に、施療コース開始画面Ｇ４に移り変わることを表している。
施療コース選択画面Ｇ３は、メニュー表示画面Ｇ２における「Ｌｏｈａｓオートコース」が選択された後に表示される画面であり、このオートコースは更に細分化されており、上から順に、被施療者Ｈを再び元気づける「リフレッシュ（Refresh ）コース」、被施療者Ｈをくつろがせる「リラックス（Relax ）コース」、被施療者Ｈを指で押したかのような「指圧（Shiatsu ）コース」、被施療者Ｈが朝用いる「朝（Morning ）コース」、被施療者Ｈが夜用いる「ナイト（Night ）コース」、被施療者Ｈに伸びをさせる「ストレッチ（Stretch コース）」、被施療者Ｈの血行を促進する「サーキュレイティング（Circulating ）コース」が表示されている。
【００６２】
施療コース選択画面Ｇ３に表示されたこれらの細分化された施療コースＲは、当然、例示であって、上記に限定されるものではない。
又、細分化された施療コースＲは、それぞれの簡単な説明が表示されていても良い。
施療コース選択画面Ｇ３でも、入力機器（タッチパネル）Ｃ２で、何れかの細分化された施療コースＲが選択されこの選択も、操作入力Ｎの一種である。
【００６３】
施療コース開始画面Ｇ４は、施療コース選択画面Ｇ３における何れかの細分化された施療コースＲを選択した後に表示される画面であって、図１１では、「リフレッシュコース」を選択した場合を示している。
この施療コース開始画面Ｇ４では、選択した細分化された施療コースＲのより詳しい説明や、各マッサージ動作Ｄをまとめた施療コースＲ全体としての施療時間（Run Time）が表示されていても良い。
施療コース開始画面Ｇ４の下部には、当該施療コースＲを開始させる「Ｃｏｕｒｓｅ
Ｓｔａｒｔ（開始）ボタン」が表示され、タッチパネルＣ２で押したり、スライド等をすることで、当該「リフレッシュコース」に基づくマッサージ動作Ｄが、被施療者Ｈに施療される（この施療コースＲの開始も、操作入力Ｎの一種である）。
【００６４】
＜実行中画面Ｇ５＞
図１２には、施療コースＲの実行中画面Ｇ５が示されている。
図１２における３つの画面は、１つの実行中画面Ｇ５がスクロールしている様子を表している。
実行中画面Ｇ５は、施療コース開始画面Ｇ４で「リフレッシュコース」を開始させた後に表示される画面であるが、これは、「リフレッシュコース」を例とした場合に過ぎず、以下の構成に限定されるものではない。
【００６５】
図１２における中央の画面（実行中画面Ｇ５の中央に）は、「リフレッシュコース」施療中に主に表示される画面であって、真ん中に被施療者Ｈを模した人型が表示され、この人型に対して、メカ（揉み玉）Ｂ１でマッサージする部位やその強さ、エアバッグＢ２でマッサージする部位やその強さ、同じくエアバッグＢ２で脚部（Leg ）のマッサージする部位やその強さを示している。
この他、実行中画面Ｇ５の中央には、一番上の段に、「緊急停止用ボタン（これは、何れの画面Ｇ１〜Ｇ７においても同様に表示されている）」があり、上から二つめの段の左には、メカＢ１、エアバッグＢ２、レッグ＆ソールのエアバッグＢ２’の「強さ（Intensity ）／調整（Adjustment）ボタン」、右には、マッサージ装置Ｍの背凭れ部Ｍ３やオットマン（脚載せ部）Ｍ５の傾く（被施療者Ｈが倒れる）角度を調整する「リクライニング（Reclining ）」が表示されている。
【００６６】
実行中画面Ｇ５の中央において、「強さ／調整ボタン」の下には、実行中のコースが、「Ｌｏｈａｓオートコース」で、細分化された施療コースＲが「リフレッシュコース」であることを示している。
これらコースを示したその下の段には、被施療者Ｈへの「指圧ボタン（指圧をするか否かを表す）」と、「施療時間」が表示されている。
「指圧マーク」と「施療時間」の下には、人型の右で、メカＢ１、エアバッグＢ２、レッグ＆ソールのエアバッグＢ２’の強さの目盛の上下には、当該コースの「繰り返しボタン」や、施療コースＲの「選びなおしボタン」等が表示されている。
【００６７】
実行中画面Ｇ５の中央における人型の下には、左から順に、被施療者Ｈの「下腿部押圧マーク（下腿部（ふくらはぎ）を押圧しているか否かを表す）」、被施療者Ｈの「下腿部の上下マーク（下腿部を上げ下ろすか否かを表す）」、「指背押圧マーク（指背押圧をしているか否かを表す）」、マッサージ装置Ｍの座部Ｍ１等の「放熱マーク（座部Ｍ１等が放熱して被施療者Ｈを温める否かを表す）」、操作プログラムＳ自体の「設定マーク」が表示されている。
これら「下腿部押圧マーク」等の下の段には、１つ前の画面（例えば、実行中画面Ｇ５の１つ前の画面は、施療コース開始画面Ｇ４）に「戻るボタン」等が表示されている。
【００６８】
図１２における左の画面（実行中画面Ｇ５の左に）は、メカＢ１、エアバッグＢ２、レッグ＆ソールのエアバッグＢ２’の強さを強く又は弱くするボタン（「強弱ボタン」）それぞれが表示されている。
又、これらの「強弱ボタン」の下には、メカＢ１の高さを上下させるボタン（「メカ上下ボタン」）と、メカＢ１の幅を広くしたり、狭くさせるボタン（「メカ広狭ボタン」）と、下腿部（ふくらはぎ）の高さを上下させるボタン（「カーフ上下ボタン」）が表示されている。
【００６９】
図１２における右の画面（実行中画面Ｇ５の右に）は、マッサージ装置Ｍの背凭れ部Ｍ３やオットマンＭ５の傾く角度を上下させるボタン（「背凭れ上下ボタン」と「オットマン上下ボタン」）と、オットマンＭ５の上下長さを伸縮させるボタン（「オットマン伸縮ボタン」）が表示されている。
この「オットマン伸縮ボタン」の下には、マッサージ装置Ｍの背凭れ部Ｍ３やオットマンＭ５の傾きを調整して被施療者Ｈに重力を感じ難くする「無重力（Zero Gravity）マーク（重力を感じ難いか否かを表す）」が表示されている。
実行中画面Ｇ５において、上述してきた各ボタンを、タッチパネルＣ２でスライド（ス素早く動かしたり、弾く「フリック」など）や押す等することで、施療コースＲの施療中にも、各施療体Ｂの強度等を調整できる（この施療コースＲの調整も、操作入力Ｎの一種である）。
【００７０】
＜編集前画面Ｇ６＞
図１３には、編集前画面Ｇ６が示されている。
この編集前画面Ｇ６は、メニュー表示画面Ｇ２における「カスタマイズコース」が選択された後で、既に編集していた施療コースＲ（編集済の施療コースＲ）や、新たに編集を開始する施療コースＲ（新規の施療コースＲ）の中から何れか（図１３では、「ｍｙ  ｃｏｕｒｓｅ（私のコース）」が選択された後に表示される画面である。
尚、新規の施療コースＲに対しては、その名称（名前）を、被施療者Ｈ等が自由に決めることが出来る（例えば、図９における「ありがとう」等）。
【００７１】
編集前画面Ｇ６でも、入力機器（タッチパネル）Ｃ２で、編集済の施療コースＲや新規の施療コースＲから何れかのコースが選択されこの選択も、操作入力Ｎの一種である。
編集前画面Ｇ６で選択された「ｍｙ  ｃｏｕｒｓｅ」は、当然、例示であって、上記に限定されるものではない。
【００７２】
編集前画面Ｇ６では、上から順に、選択された施療コースＲの名称「ｍｙ  ｃｏｕｒｓｅ」と、当該コースを編集した日時、施療時間が表示されている（この施療時間によって、他の施療コースＲと識別し易くなる）。
施療時間の左下には、選択した施療コースＲを削除する「Ｄｅｌ（削除）ボタン」、右下には、選択した施療コースＲを編集する「Ｅｄｉｔ（編集）ボタン」、これら「Ｄｅｌボタン」、「Ｅｄｉｔボタン」の下には、選択した施療コースＲを開始させる「Ｃｏｕｒｓｅ  Ｓｔａｒｔ（開始）ボタン」が表示されている。
これら３つのボタンを、タッチパネルＣ２で押す等をすることで、選択した施療コースＲを、削除したり、編集したり、選択した施療コースＲに基づくマッサージ動作Ｄを被施療者Ｈに施したりする（これらの施療コースＲの削除・編集・開始も、操作入力Ｎの一種である）。
【００７３】
＜時間編集画面Ｇ７＞
図１４〜２１には、時間編集画面Ｇ７が示されている。
この時間編集画面Ｇ７は、編集前画面Ｇ６における「Ｅｄｉｔボタン」が押された後に表示される画面である。
【００７４】
＜アクションメニューバーＧ７１＞
図１４に主に示されたように、施療コースＲを編集する際には、時間編集画面Ｇ７において、まずアクションメニューバーＧ７１が、時間編集画面Ｇ７の上段に表示される。
このアクションメニューバーＧ７１では、左から、編集している施療コースＲの名称、編集している施療コースＲを前の状態（１つ前の状態や、複数前の状態）に戻す「ＵＮＤＯボタンＧ７１−１（図１４において○で囲まれた符号１）」、施療コースＲの編集している状態を上書き保存したり、全く新規に施療コースＲを編集する際にはその名称（名前）を付けて保存する「ＳａｖｅボタンＧ７１−２（図１４において○で囲まれた符号２）」、編集している施療コースＲに基づいて実際にマッサージ動作Ｄを被施療者Ｈに施療する「ＰｌａｙボタンＧ７１−３（図１４において○で囲まれた符号３）」が表示されている。
【００７５】
これら３つのボタンＧ７１−１〜３を、タッチパネルＣ２で押す等をすることで、編集中の施療コースＲを、前の状態に戻したり、保存したり、編集中の施療コースＲに基づくマッサージ動作Ｄを被施療者Ｈに施療したりする（これらの施療コースＲの前の状態への戻し・保存・施療も、操作入力Ｎの一種である）。
尚、全く新規に、施療コースＲを編集する場合には、そのコースの名称は「Ｎｅｗ  Ｃｏｕｒｓｅ」となっている（図１４参照）。
【００７６】
＜マッサージ動作編集スペースＧ７’とマッサージ動作編集時刻バーＧ７”＞
このアクションバーメニューＧ７１における施療コースＲの名称等の下には、各施療体Ｂ（ここでは、左から順に揉み玉（Mecha ）Ｂ１、エアバッグ（Air ）Ｂ２、レッグ＆ソール（Leg & sole) のエアバッグＢ２’が、それぞれの施療体Ｂによる各マッサージ動作Ｄを縦方向Ｔに沿って並べられる（略帯状の）スペース（マッサージ動作編集スペースＧ７’）が複数表示されている（図１４〜２１参照）。
これら複数のマッサージ動作編集スペースＧ７’の更に左には、同じく縦方向Ｔに沿って並べられた「１」、「２」、「３」・・・等の数字（マッサージ動作編集時刻バーＧ７”）が表示されており、これが所定単位時間（例えば、１分ごと等）で何番目の時刻かを示している。
【００７７】
これは、１種又は複数種のマッサージ動作Ｄを複数同時に編集可能な編集部２と、同時に表示可能な表示部３を有していると言え、マッサージ動作Ｄの種類や数を問わず、被施療者Ｈを含む使用者Ｈ’にとって、一見して、マッサージ動作Ｄにおけるマッサージ動作情報Ｊやその編集状態が常に確認可能となる。
つまり、マッサージ動作Ｄが複数種であるか、１種類でも複数個であるかを問わず、被施療者Ｈ等にとって、編集の変化が視覚的に理解し易く、複数種等のマッサージ動作Ｄ全体を直観的に編集・表示できる。
【００７８】
そして、編集部２がマッサージ動作Ｄの開始時間Ｋ及び終了時間Ｅを編集する際には、表示部３は、マッサージ動作Ｄの種類ごとに各マッサージ動作Ｄを所定方向（縦方向Ｔ）に沿って並べて、所定方向における位置Ｐで各マッサージ動作Ｄの開始時間Ｋ及び終了時間Ｅを表示していることとなる。
これによって、マッサージ動作Ｄが複数種、複数個であっても、その種類や個々を跨いで、各種・各個のマッサージ動作Ｄの関係性を把握し易く、被施療者Ｈを含めた使用者Ｈ’等が意図した通りに編集でき（「被施療者Ｈ等の操作性の向上」）、適切な施療を受け易くなる。
特に、複数種のマッサージ動作Ｄを同時編集している場面であれば、あるマッサージ動作Ｄの開始時間Ｋ及び終了時間Ｅに対する、他のマッサージ動作Ｄの相対的な開始時間Ｋ及び相対的な終了時間Ｅも編集することとなり、更に「被施療者Ｈ等の操作性の向上」を発揮する。
【００７９】
尚、マッサージ動作編集時刻バーＧ７”で表す時刻ごとに、各マッサージ動作編集スペースＧ７’が、動作セル（動作タイル）Ｇ７’−１に分割されていたり、マッサージ動作編集時刻バーＧ７”自体が、時刻セル（時刻タイル）Ｇ７”−１に分割されていても良い。
上述のアクションメニューバーＧ７１と、複数のマッサージ動作編集スペースＧ７’と、マッサージ動作編集時刻バーＧ７”は、このあと述べる時間編集画面Ｇ７のメニューバーＧ７２〜Ｇ７４や、マッサージ動作Ｄの移動、マッサージ施療時間の拡縮等を行う際にも、常に表示される（図１４〜２１参照）。
【００８０】
各マッサージ動作編集スペースＧ７’や、マッサージ動作編集時刻バーＧ７”は、縦方向Ｔに沿って、マッサージ動作Ｄや数字が並べられており、各マッサージ動作編集「列」スペースＧ７’や、マッサージ動作編集時刻「列」バーＧ７”とも言えるが、並べられる方向は、縦方向だけに限定されず横方向であっても良い。
尚、横方向Ｔに沿って、マッサージ動作Ｄや数字が並べられるのであれば、各マッサージ動作編集「行」スペースＧ７’や、マッサージ動作編集時刻「行」バーＧ７”とも言える。
【００８１】
＜マッサージ動作追加メニューバーＧ７２＞
図１５に主に示されたマッサージ動作追加メニューバーＧ７２は、いずれかのマッサージ動作編集スペースＧ７’（又は、その動作セルＧ７’−１）を、タッチパネルＣ２で押す（所定時間以上に押し続けたり（長押ししたり）、所定時間より短い時間押すだけであったり、何れの押し方も含む）等をすることで、マッサージ動作編集スペースＧ７’及びマッサージ動作編集時刻バーＧ７”の下方に表示される。
このマッサージ動作追加メニューバーＧ７２では、左から、各マッサージ動作Ｄのマッサージ動作情報Ｊを編集する後述する情報編集画面Ｇ８に移行する「Ａｄｄ（追加）ボタンＧ７２−１（図１５において○で囲まれた符号１）」、事前に複写しておいた（クリップボードにコピーしておいた）マッサージ動作Ｄを貼り付ける「Ｐａｓｔｅ（貼付）ボタンＧ７２−２（図１５において○で囲まれた符号２）」が表示されている。
【００８２】
これら２つのボタンＧ７２−１、２を、タッチパネルＣ２で押す等をすることで、編集中の施療コースＲにおける各マッサージ動作Ｄのマッサージ動作情報Ｊを編集したり、事前にコピーしておいたマッサージ動作Ｄを貼り付けたりする（これらのマッサージ動作情報Ｊの編集、マッサージ動作Ｄの貼付も、操作入力Ｎの一種である）。
尚、上述の「ＡｄｄボタンＧ７２−１」を押して情報編集画面Ｇ８に移行して、所定のマッサージ部位やマッサージ手技を選択し終えると再び時間編集画面Ｇ７に戻るが、その際、マッサージ動作Ｄを追加した施療体Ｂのマッサージ動作編集スペースＧ７’には、選択したマッサージ部位やマッサージ手技に相当するマークを持ち、最初に指定した動作セルＧ７’−１を開始時刻Ｋとして、マッサージ施療時間分だけ縦方向Ｔに沿った位置にある動作セルＧ７’−１を終了時刻Ｅとするマッサージ動作矩形Ｑが表示される（図１６等参照）。
このマッサージ矩形Ｑは、その矩形内部で、選択したマッサージ部位やマッサージ手技に相当するマークが表示可能であれば、不透過（塗りつぶし）であったり、所定の透過率を持つ半透明であっても構わない。
又、マッサージ動作Ｄの貼付の際には、事前にコピーしておいたマッサージ動作Ｄのマッサージ施療時間通りに、貼り付けなくとも良く、例えば、一律に、マッサージ施療時間を１分（所定単位時間１つ分）として貼り付ける構成にしても良い。
【００８３】
＜マッサージ動作編集メニューバーＧ７３＞
図１６に主に示されたマッサージ動作編集メニューバーＧ７３は、マッサージ動作編集スペースＧ７’に表示されている編集対象であるマッサージ動作Ｄ（マッサージ動作矩形Ｑ）のうちの１つを、例えば、当該マッサージ動作矩形Ｑを長押し等して指定した後に、指を離す等をすることで、マッサージ動作編集スペースＧ７’及びマッサージ動作編集時刻バーＧ７”の下方に表示される。
ここで、マッサージ動作Ｄを指定するには、例えば、上述したタッチパネルＣ２で、指定したいマッサージ動作Ｄ（マッサージ動作矩形Ｑ）を長押しした他、指定したいマッサージ動作Ｄを複数回素早く押す（例えば、２度押し等）など、タッチパネルＣ２を介して、指定したいマッサージ動作Ｄだけを特定できる操作入力Ｎであれば、何れのタッチパネル等の入力機器Ｃ２の操作の仕方に、マッサージ動作Ｄの指定を割り当てても構わない。
【００８４】
このように、本発明における編集部２及び表示部３によって、指定されたマッサージ動作Ｄ（指定マッサージ動作Ｄｓ（指定マッサージ動作矩形Ｑｓ））は、入力機器（タッチパネル）Ｃ２（編集部２の一部を構成していることから、編集部２）で、指定されていないマッサージ動作Ｄ（非指定マッサージ動作Ｄｈ（非指定マッサージ動作矩形Ｑｈ））と異なる状態に表示される。
尚、本発明における指定マッサージ動作Ｄｓ（指定マッサージ動作矩形Ｑｓ）が非指定マッサージ動作Ｄｈ（非指定マッサージ動作矩形Ｑｈ）と「異なる状態」とは、指定マッサージ動作矩形Ｑｓが、非指定マッサージ動作矩形Ｑｈとの間で被施療者Ｈ等が違いを認識（視認等）できるのであれば、何れの構成であっても良いが、例えば、図１６に示されたように、指定マッサージ動作Ｄｓだけを枠（指定枠Ｆ）で囲んだり（編集対象を枠の有無で異なったり）、指定マッサージ動作矩形Ｑｓだけを、非指定マッサージ動作矩形Ｑｈと異なる色や大きさとする（色や大きさが異なる）など、何れであっても良い。
【００８５】
上述したように、指定マッサージ動作Ｄｓを表示部３によって非指定マッサージ動作Ｄｈと異なる状態に表示することで、マッサージ動作Ｄが複数種や複数個であっても、被施療者Ｈ等に、自分が編集している指定マッサージ動作Ｄｓを認識させることが出来る。
よって、入力機器が、入力ボタンが少ないタッチパネルＣ２等（つまり、被施療者Ｈ等に操作負担が少ない）ポインティングデバイスである場合でも、指定した指定マッサージ動作Ｄを、移動（スライド）させたり、マッサージ施療時間を拡大・縮小（拡縮）する編集も可能となり、更なる操作性の向上と同時に、操作の幅が広がる。
【００８６】
このマッサージ動作編集メニューバーＧ７３で、左端には、指定マッサージ動作Ｄｓのマッサージ動作情報Ｊ（例えば、「Ｗａｖｅ  ｋｎｅａｄ（波揉み）」等のマッサージ手技の種類）が表示され、このマッサージ動作情報の左から順に、指定マッサージ動作Ｄｓを複写する（クリップボードにコピーする）「Ｃｏｐｙ（複写）ボタンＧ７３−１（図１６において○で囲まれた符号１）」、指定マッサージ動作Ｄｓを削除する「Ｄｅｌｅｔｅ（削除）ボタンＧ７３−２（図１６において○で囲まれた符号２）」が表示されている。
これら２つのボタンＧ７３−１、２を、タッチパネルＣ２で押す等をすることで、編集中の施療コースＲにおける各マッサージ動作Ｄを複写したり、削除したりする（これらのマッサージ動作Ｄの複写、削除も、操作入力Ｎの一種である）。
【００８７】
＜時間編集画面Ｇ７におけるマッサージ動作Ｄの移動＞
図１７には、時間編集画面Ｇ７において、マッサージ動作Ｄを移動させる様子が示されている。
このマッサージ動作Ｄの移動は、例えば、タッチパネルＣ２で、マッサージ動作Ｄ（マッサージ動作矩形Ｑ）を長押し等して指定した後に、指を離さずに動かす（ドラッグ）等をすることで、マッサージ施療時間はそのままで、被施療者Ｈ等が、指定マッサージ動作Ｄｓの開始時間（開始時刻）Ｋ及び終了時間（時刻）Ｅを、また別の開始時間（開始時刻）Ｋ及び終了時間（時刻）Ｅに変更できる。
【００８８】
尚、マッサージ動作矩形Ｑを長押し等して指定すると、当該マッサージ動作矩形Ｑを囲む指定枠Ｆが表示される。
この指定枠Ｆは、タッチパネルＣ２から指を離さずに動かす（ドラッグ）等して、マッサージ動作Ｄ（マッサージ動作矩形Ｑ）の移動が開始された際には、タッチパネルＣ２で動かす指に沿って、マッサージ動作矩形Ｑ自体の移動と共に、この指定枠Ｆも移動する。
このとき、指定枠Ｆは、動かす指に沿って移動するマッサージ動作矩形Ｑから所定の距離・角度（例えば、図１７中であれば、左やや斜め下等）の近傍において、最も近い動作セルＧ７’−１の縁に沿った位置に表示される。
尚、指定枠Ｆは、当然、その枠で囲まれた内部が認識（視認）等可能であるため、指定枠Ｆの移動中でも、非指定マッサージ動作Ｄｈを隠すことはないと共に、指定枠Ｆが示すマッサージ動作Ｄの開始時刻Ｋ及び終了時間Ｅを変更していることとなる。
又、図１７で示したように、揉み玉動作Ｄ１に相当するマッサージ動作矩形Ｑ１は、移動中、エアバッグ動作Ｄ２や、レッグ＆ソールのエアバッグ動作Ｄ２’の各マッサージ動作編集（列）スペースＧ７’に跨った位置で移動しており、当然、各動作Ｄ２、Ｄ２’に相当するマッサージ動作矩形Ｑ２、Ｑ２’が全部隠れることはない。
本発明では、このように、既に表示されている非指定マッサージ動作Ｄｈの全て隠す訳でなければ（一部でも認識（視認）等可能であれば）、マッサージ動作矩形Ｑは、その移動中でも、非指定マッサージ動作Ｄｈ隠すことはないとする。
マッサージ動作矩形Ｑの移動が、マッサージ動作Ｄの開始時刻Ｋ及び終了時間Ｅを変更していることとなる点は、指定枠Ｆと同様である。
【００８９】
つまり、本発明における編集部２及び表示部３は、既に表示している非指定マッサージ動作Ｄｈ（非指定マッサージ動作矩形Ｑｈ）を隠すことなく、指定マッサージ動作Ｄｓの開始時間Ｋ及び終了時間Ｅを編集している。
これによって、マッサージ動作Ｄが複数種又は複数個であっても、編集しない他の非指定マッサージ動作Ｄ全てを確認できる状態で指定マッサージ動作Ｄを編集可能なため、被施療者Ｈ等にとって、編集の変化や、各種・各個のマッサージ動作Ｄの関係性が更に視覚的に理解し易く、複数種等のマッサージ動作Ｄ全体を、編集の最中であっても、より直観的に編集・表示できる。
従って、被施療者Ｈ等が意図した編集を出来、更に高度な「被施療者Ｈ等の操作性の向上」が図られる。
【００９０】
尚、本発明における指定枠Ｆが非指定マッサージ動作Ｄｈ（非指定マッサージ動作矩形Ｑｈ）を「隠さない」とは、表示部３が既に表示している非指定マッサージ動作矩形Ｑｈを、被施療者Ｈ等が認識（視認等）できるのであれば、何れの構成であっても良いが、例えば、別ウインドウ（別の小さい画面等）を新たに開かなかったり、表示部３が表示する全体（画面全体）を切り替えないことなど、何れでも構わない。
又、マッサージ動作Ｄは、既に別のマッサージ動作Ｄ（非指定マッサージ動作矩形Ｑｈ）が存在する場所には移動することが出来ない設定（例えば、１分（１つの動作セルＧ７’−１）しか空いていない場所に、マッサージ施療時間が２分のマッサージ動作矩形Ｑを移動させようとしても、マッサージ動作矩形Ｑと同時に移動するはずの指定枠Ｆが消えて、その場所を指定できない（その場所へ移動できない）設定等）としても良い。
これによって、次に述べる繰下げ等により、他の種類のマッサージ動作Ｄとの相対的な時間（時刻）やバランスを考えて編集してきた施療コースＲを、不意に崩すことがない。
勿論、既に別のマッサージ動作Ｄが存在する場所にも、既に存在する別のマッサージ動作Ｄの開始時間Ｋ及び終了時間Ｅを繰り下げたり（例えば、１分しか空いていない場所に、マッサージ施療時間が２分のマッサージ動作矩形Ｑを移動させた際に、その場所以降のマッサージ動作Ｄが１分ずつ繰り下げたり）、移動させたい指定マッサージ動作Ｄｓのマッサージ施療時間を縮小しても（例えば、１分しか空いていない場所に、マッサージ施療時間が２分のマッサージ動作矩形Ｑを移動させた際に、その指定マッサージ動作Ｄｓのマッサージ施療時間を１分としても）良い。
このようなマッサージ動作Ｄの移動も、当然、操作入力Ｎの一種である。
尚、ここまでは、マッサージ動作Ｄ（マッサージ動作矩形Ｑ）の移動時に、マッサージ動作矩形Ｑと指定枠Ｆが同時に移動する例を述べたが、当然、マッサージ動作Ｄの移動時に、マッサージ動作矩形Ｑだけが移動したり、指定枠Ｆだけが移動する構成であっても良い。
更には、指定マッサージ動作Ｄｓの当初存在していた場所を示す指定枠Ｆを所定の色（何れの色でも良いが、例えば、黄色）とし、移動先を表す指定枠Ｆの色を別の色（先ほどの例で言えば、黄色以外であれば何れの色でも良く、例えば、赤色）とすることで、マッサージ動作Ｄの移動を表現しても良い。
【００９１】
＜時間編集画面Ｇ７におけるマッサージ動作Ｄの拡縮＞
図１８には、時間編集画面Ｇ７において、各マッサージ動作Ｄのマッサージ施療時間を拡縮（拡大・縮小）させる様子が示されている。
このマッサージ動作Ｄの拡縮は、例えば、タッチパネルＣ２で、マッサージ動作Ｄ（マッサージ動作矩形Ｑ）を長押し等して指定した（指定枠Ｆが表示された）後に、タッチパネルＣ２から一旦指を離し、再び指で当該マッサージ動作Ｄを縦方向Ｔに沿ってドラッグする（押しつつ動かす）等をすることで、被施療者Ｈ等が、指定マッサージ動作Ｄｓのマッサージ施療時間を拡縮できる。
【００９２】
尚、マッサージ動作Ｄの拡大を詳解すれば、マッサージ動作Ｄにおける開始時刻Ｋをより早い時刻にすること及び／又は終了時刻Ｅをより遅い時刻にすることであって、マッサージ施療時間そのものが拡大することを意味する。
マッサージ動作Ｄの縮小も詳解すると、マッサージ動作Ｄにおける開始時刻Ｋをより遅い時刻にすること及び／又は終了時刻Ｅをより早い時刻にすることであって、マッサージ施療時間そのものが縮小することを意味する。
当然、開始時刻Ｋを終了時刻Ｅより遅くしたり、終了時刻Ｅを開始時刻Ｋより早くすることは出来ない。
【００９３】
このようなマッサージ動作Ｄの拡縮においても、マッサージ動作矩形ＱをタッチパネルＣ２で長押し等をして指定すると、当該マッサージ動作矩形Ｑを囲む指定枠Ｆが表示される。
指定枠Ｆは、タッチパネルＣ２でドラッグする等して、マッサージ動作Ｄの拡縮が開始された際には、タッチパネルＣ２で動かす指に沿って、指定枠Ｆ及びマッサージ動作矩形Ｑも拡縮する。
マッサージ動作Ｄの拡縮も、既に別のマッサージ動作Ｄ（非指定マッサージ動作矩形Ｑｈ）が存在する場所にまでは拡大・縮小移動することが出来ない。
このようなマッサージ動作Ｄの拡縮も、当然、操作入力Ｎの一種である。
【００９４】
＜複数種編集メニューバーＧ７４＞
図１９〜２１に示された複数種編集メニューバーＧ７４は、複数のマッサージ動作編集スペースＧ７’に表示されている編集対象であるマッサージ動作Ｄ（マッサージ動作矩形Ｑ）を、その種類を跨いで、一括して編集するためのものである。
複数種編集メニューバーＧ７４は、マッサージ動作編集時刻バーＧ７”における何れかの時刻セルＧ７”−１をタッチパネルＣ２で長押し等をして、複数種のマッサージ動作Ｄ（マッサージ動作矩形Ｑ）に跨る行を指定することで、マッサージ動作編集スペースＧ７’及びマッサージ動作編集時刻バーＧ７”の下方に表示される。
【００９５】
この複数種編集メニューバーＧ７４で、左から順に、指定された行を複写する（クリップボードにコピーする）「行Ｃｏｐｙ（複写）ボタンＧ７４−１」、指定された行に事前に複写しておいた（クリップボードにコピーしておいた）行を貼り付ける「行Ｐａｓｔｅ（貼付）ボタンＧ７４−２」、指定された行に何れのマッサージ動作Ｄもない一行を挿入する「行Ｉｎｓｅｒｔ（挿入）ボタンＧ７４−３」、指定された行を削除する「行Ｄｅｌｅｔｅ（削除）ボタンＧ７４−４」が表示されている。
これら４つのボタンＧ７４−１〜４を、タッチパネルＣ２で押す等をすることで、編集中の施療コースＲにおいて複数種に跨る各マッサージ動作Ｄの行を複写したり、貼付したり、挿入したり、削除したりする（これらのマッサージ動作Ｄの行の複写、貼付、挿入、削除も、操作入力Ｎの一種である）。
尚、時刻セルＧ７”−１を長押し等して指定すると、当該時刻セルＧ７”−１に相当する時刻おける複数種に跨るマッサージ動作Ｄ（マッサージ動作矩形Ｑ）をまとめて囲む指定枠Ｆが表示される。
又、このように、複数種に跨って各マッサージ動作Ｄ相互の相対的な時間（時刻）やバランスを考えて編集したマッサージ動作群（行）ごとを、その相対的な時間やバランスを保持したまま、別の場所へ、複写・貼付や挿入・削除（つまりは、マッサージ動作郡の移動・拡縮）を行うことが可能となる。
【００９６】
＜複数種編集メニューバーＧ７４による複数種マッサージ動作Ｄに跨った複写・貼付＞
図１９には、時間編集画面Ｇ７において、複数種編集メニューバーＧ７４を用いて、複数種のマッサージ動作Ｄに跨った行を複写・貼付させる様子が示されている。
図１９における２つの画面の間の矢印は、複数種のマッサージ動作Ｄに跨った行を複写した後に、その行を別の場所へ貼り付けたことを表している。
【００９７】
図１９の左下の時間編集画面Ｇ７を詳解すれば、マッサージ動作編集時刻バーＧ７”における上から７番目（つまり、編集宙の施療コースＲが開始されてから７分後から８分後の１分間）の時刻セルＧ７”−１をタッチパネルＣ２で長押し等している。
これによって、開始から７分後から８分後の１分間における「メカＢ１」、「エアバッグＢ２」、「レッグ＆ソールのエアバッグＢ２’」の複数種のマッサージ動作Ｄに跨る横方向Ｔに沿って並んだ行（マッサージ動作Ｄ１に相当するマッサージ動作矩形Ｑ１、マッサージ動作Ｄ２に相当するマッサージ動作矩形Ｑ２、マッサージ動作Ｄ２’に相当するマッサージ動作矩形Ｑ２’のうち少なくとも１つにおける一部をまとめて）が指定されている（上から７番目の行を囲む指定枠Ｆが表示されている）。
その後、「行ＣｏｐｙボタンＧ７４−１（図１９において○で囲まれた符号１）」をタッチパネルＣ２で押して、複写（クリップボードにコピー）している。
【００９８】
図１９の右上の時間編集画面Ｇ７を詳解すれば、マッサージ動作編集時刻バーＧ７”における上から１２番目（つまり、編集宙の施療コースＲが開始されてから１２分後から１３分後の１分間）の時刻セルＧ７”−１をタッチパネルＣ２で押す等して、指定枠Ｆを移動させている。
その後、「行ＰａｓｔｅボタンＧ７４−２（図１９において○で囲まれた符号２）」をタッチパネルＣ２で押すことで、指定枠Ｆがある上から１２番目の行の位置に、事前に複写した上から７番目にある行を貼り付けている。
【００９９】
＜複数種編集メニューバーＧ７４による複数種マッサージ動作Ｄに跨った挿入＞
図２０には、時間編集画面Ｇ７において、複数種編集メニューバーＧ７４を用いて、何れの種類のマッサージ動作Ｄもない一行（一行スペース）を挿入させる様子が示されている。
図２０における２つの画面の間の矢印は、複数種のマッサージ動作Ｄに跨った行を指定した後に、その指定された位置に一行スペースを挿入したことを表している。
【０１００】
図２０の左下の時間編集画面Ｇ７を詳解すれば、上述の複写・貼付と同様に、マッサージ動作編集時刻バーＧ７”における上から７番目の時刻セルＧ７”−１をタッチパネルＣ２で長押し等している。
これによって、開始から７分後から８分後の１分間における「メカＢ１」等の複数種のマッサージ動作Ｄに跨る行が指定されている（同じく、上から７番目の行を囲む指定枠Ｆが表示されている）。
【０１０１】
図２０の右上の時間編集画面Ｇ７においては、その後、「行ＩｎｓｅｒｔボタンＧ７４−３」をタッチパネルＣ２で押すことで、指定枠Ｆがある上から７番目の位置に、何れの種類のマッサージ動作Ｄもない一行スペースを挿入している。
尚、図２０で示した如く、指定した行に、既にマッサージ動作矩形Ｑが表示されている場合には、各マッサージ動作矩形Ｑ１〜Ｇ３が、その挿入した行で分割され、挿入された行より下の部分（マッサージ動作矩形Ｑ１、マッサージ動作矩形Ｑ２、マッサージ動作矩形Ｑ２’のうち少なくとも１つにおける下の部分）がまとめて、一行下にずれる。
【０１０２】
＜複数種編集メニューバーＧ７４による複数種マッサージ動作Ｄに跨った削除＞
図２１には、時間編集画面Ｇ７において、複数種編集メニューバーＧ７４を用いて、複数種のマッサージ動作Ｄに跨る一行を削除させる様子が示されている。
図２１における２つの画面の間の矢印も、複数種のマッサージ動作Ｄに跨った行を指定した後に、その指定された位置の行を削除したことを表している。
【０１０３】
図２１の左下の時間編集画面Ｇ７を詳解すれば、マッサージ動作編集時刻バーＧ７”における上から１０番目の時刻セルＧ７”−１をタッチパネルＣ２で長押し等している。
これによって、開始から１０分後から１後の１分間における「メカＢ１」等の複数種のマッサージ動作Ｄに跨る行が指定されている（上から１０番目の行を囲む指定枠Ｆが表示されている）。
【０１０４】
図２１の右上の時間編集画面Ｇ７においては、その後、「行ＤｅｌｅｔｅボタンＧ７４−４」をタッチパネルＣ２で押すことで、指定枠Ｆがある上から１０番目の位置にある行（マッサージ動作矩形Ｑ１、マッサージ動作矩形Ｑ２、マッサージ動作矩形Ｑ２’のうち少なくとも１つにおける一部）を削除している。
尚、図２１で示した如く、削除した行より下に、マッサージ動作矩形Ｑ１、マッサージ動作矩形Ｑ２、マッサージ動作矩形Ｑ２’のうち少なくとも１つにおける一部が存在すれば、それらはまとめて、一行上にずれる。
【０１０５】
ここまで時間編集画面Ｇ７について述べてきたが、マッサージ動作編集スペースＧ７’やマッサージ動作編集時刻バーＧ７”を有する時間編集画面Ｇ７自体も、スマートフォン（操作装置）Ｃにおける表示画面Ｃ１や入力機器（タッチパネル）Ｃ２と同様に、編集部２の一部を構成していると言える。
【０１０６】
＜情報編集画面Ｇ８＞
図２２〜２４には、情報編集画面Ｇ８が示されている。
この情報編集画面Ｇ８は、時間編集画面Ｇ７のマッサージ動作追加メニューバーＧ７２における「ＡｄｄボタンＧ７２−１」を押された後に表示される画面であって、指定したマッサージ動作Ｄ（指定マッサージ動作Ｄｓ）のマッサージ動作情報Ｊを編集する画面である。
【０１０７】
情報編集画面Ｇ８の一番上の段には、左から順に、「Ｐｏｓｉｔｉｏｎ（マッサージ部位）」、「Ｔｅｃｈｎｉｑｕｅ（マッサージ手技の種類）」、「Ｆｅｅｌｉｎｇ＆Ｔｉｍｅ（マッサージ程度とマッサージ施療時間）」を示すリストタブが表示されている。
このうち、後述する「Ｔｅｃｈｎｉｑｕｅ」のリストタブ内には「Ｎｏｔ  Ｓｅｌｅｃｔ（未選択）」、「Ｆｅｅｌｉｎｇ＆Ｔｉｍｅ」のリストタブ内には「Ｍｏｄｅｒａｔｅ（中くらい）、１ｍｉｎ（１分）」と、仮に表示されている。
【０１０８】
＜マッサージ部位設定ウインドウＧ８１＞
図２２に示されたように、マッサージ動作情報Ｊを編集する際には、情報編集画面Ｇ８における「Ｐｏｓｉｔｉｏｎ」のリストタブから、まずマッサージ部位設定ウインドウＧ８１が開かれている。
このマッサージ部位設定ウインドウＧ８１内には、指定したマッサージ動作Ｄを施療する被施療者Ｈのマッサージ部位を示したアイコンが複数個（図２２では６つ）示されている。
【０１０９】
これらのアイコンは、上段の左から、「ＦＵＬＬ  ＢＡＣＫ（背中及び脚部の裏全面）」、「ＮＥＣＫ（首）」、「ＳＨＯＵＬＤＥＲ（肩）」、下段の左から「ＢＡＣＫ（背中）」、「ＬＯＷＥＲ  ＢＡＣＫ（下方の背中（腰部））」、「ＰＯＩＮＴ（指定した部位）」が表示されている。
これらのアイコンを含むマッサージ部位設定ウインドウＧ８１の下には、左から、ウインドウＧ８１内のアイコンのうち選択したマッサージ部位を試しに施療する「Ｔｅｓｔ（お試し）ボタン」、ウインドウＧ８１内のアイコンのうち選択したマッサージ部位をマッサージ動作情報Ｊとして入力する「Ｅｎｔｅｒ（入力）ボタン」が表示されている。
【０１１０】
これら２つのボタンを、タッチパネルＣ２で押す等をすることで、指定したマッサージ動作Ｄのマッサージ動作情報Ｊにおけるマッサージ部位を選択する（この選択も、操作入力Ｎの一種である）。
マッサージ部位設定ウインドウＧ８１でマッサージ部位を選択した後には、マッサージ手技設定ウインドウＧ８２で、詳しいマッサージ手技を選択する。
【０１１１】
＜マッサージ手技設定ウインドウＧ８２＞
図２３に示されたように、情報編集画面Ｇ８における「Ｔｅｃｈｎｉｑｕｅ」のリストタブ（この内部には、「Ｗａｖｅ  Ｋｎｅａｄ」と表示されている）から、マッサージ手技設定ウインドウＧ８２が開かれている。
このマッサージ手技設定ウインドウＧ８２内の上段には、存在するマッサージ手技のカテゴリーアイコン等が複数個（図２３では５つ）表示される（図２３において○で囲まれた符号１）。
【０１１２】
このカテゴリーアイコンは、左から順に、「履歴アイコン」、「揉み」アイコン、「揉み・叩き」アイコン、「叩き」アイコン、「指圧」アイコンが表示されている。
尚、「履歴アイコン」を選択した場合には、これまでに選択してきたマッサージ手技の履歴のリストが表示される。
【０１１３】
これらのカテゴリーアイコン左下には、選択されたカテゴリーアイコンに関する詳細なマッサージ手技のリストが表示されている（図２３において○で囲まれた符号２）。
図２３では、「揉み」アイコンを選択した際のマッサージ手技のリストが表示されており、このリスト内には、上から順に、４つの施療体Ｂで同時に揉み上げる「４Ｄ  Ｋｎｅａｄ  Ｕｐ」、同じく４つの施療体Ｂで同時に揉み下げる「４Ｄ  Ｋｎｅａｄ  Ｄｏｗｎ」、図２３の波のように蛇行して揉む「Ｗａｖｅ  Ｋｎｅａｄ」、周期的に揉む「Ｉｎｔｅｒｍｉｔｔｅｎｔ  Ｋｎｅａｄ」、ゆっくり揉む「Ｓｌｏｗ  Ｋｎｅａｄ」の詳細なマッサージ手技が表示されている。
【０１１４】
詳細なマッサージ手技のリストの右には、このリストから選択されたマッサージ手技の詳細図が表示されている（図２３において○で囲まれた符号３）。
尚、この詳細図は、図２３のように、イメージ図でも良いが、その他、動画等であっても構わない。
【０１１５】
上述したカテゴリーアイコン、詳細なマッサージ手技のリストのうち、１つずつタッチパネルＣ２で押す等をすることで、指定したマッサージ動作Ｄのマッサージ動作情報Ｊにおけるマッサージ手技を選択する（この選択も、操作入力Ｎの一種である）。
マッサージ手技設定ウインドウＧ８２でマッサージ手技を選択した後には、最後にマッサージ強度・施療時間設定ウインドウＧ８３で、マッサージ強度、マッサージ施療時間を設定する。
【０１１６】
＜マッサージ強度・施療時間設定ウインドウＧ８３＞
図２４に示されたように、情報編集画面Ｇ８における「Ｆｅｅｌｉｎｇ＆Ｔｉｍｅ」のリストタブ（この内部には、「Ｈａｒｄ  ３ｍｉｎ」と表示されている）から、マッサージ強度・施療時間設定ウインドウＧ８３が開かれている。
このマッサージ強度・施療時間設定ウインドウＧ８３内の上段には、マッサージ程度と更に詳しいマッサージ強度を設定する略半円状の強度メータが表示される。
この強度メータにおける針を、タッチパネルＣ２でドラッグ等して、３つの程度「ｓｏｆｔ／ｍｏｄｅｒａｔｅ／ｈａｒｄ」、更には、それぞれの程度における５段階に分けたマッサージ強度（つまり、ｓｏｆｔ１〜５、ｍｏｄｅｒａｔｅ１〜５、ｈａｒｄ１〜５）のうち、何れかを選択する。
【０１１７】
強度メータの下には、指定したマッサージ動作Ｄのマッサージ施療時間を長く又は短くするボタン（「長短ボタン」）が表示されている。
この長短ボタンをタッチパネルＣ２で押す等をしたり、上述した強度メータの針をタッチパネルＣ２でドラッグ等をすることで、指定したマッサージ動作Ｄのマッサージ動作情報Ｊにおけるマッサージ強度・マッサージ施療時間を設定する（この設定も、操作入力Ｎの一種である）。
【０１１８】
尚、ここまで述べてきた操作入力Ｎは、スマートフォンＣのタッチパネルＣ２における押す、長押し、フリック、ドラッグ等によって行われてきたが、このタッチパネルＣ２による操作入力Ｎは一例であって、マウス、カーソル等のようなポインティングデバイスや、キーボード、入力用のボタン、入力マイクなど、何れの入力機器による操作入力Ｎでも良い。
そこで、次に、本発明の操作システム１における入力部１１について言及する。
【０１１９】
＜入力部１１＞
図１、８〜２３、２５、２６に示されたように、入力部１１は、被施療者Ｈ自身を含めた使用者Ｈ’からの操作入力Ｎを受け付ける入力機器であり、操作装置Ｃがスマートフォンであれば、タッチパネルＣ２等である。
上述したように、タッチパネルＣ２は、編集部２の一部を構成しているとも言えることから、入力部１１も、当然、編集部２の一部を構成していると言える。
【０１２０】
尚、入力部１１は、タッチパネルＣ２など操作装置Ｃに備えられた入力機器でなくとも良く、例えば、タブレット型端末、携帯電話等のＰＤＡ（携帯情報端末）、ノート型ＰＣなどの入力機器であっても良く、更には、被施療者Ｈ等からの操作入力Ｎを受け付けることが出来るのであれば、ネットワークＷを介して別の場所にある入力機器であっても構わない。
入力部１１が受け付ける操作入力Ｎは、上述したように、編集部２での編集に対する操作だけではなく、実際に施療コースＲに基づいてマッサージ動作Ｄを被施療者Ｈに施療するもの等も含まれる。
【０１２１】
＜記憶部１２＞
図１に示されたように、記憶部１２とは、施療コースＲを記憶できるのであれば、何れの構成であっても良く、例えば、レジスタ、キャッシュメモリ、メインメモリ、ハードディスク、ＵＳＢ等のフラッシュメモリ、ＣＤ−ＲＯＭ、ＤＶＤ−ＲＯＭ、ＭＯ、ＦＤ等のディスク媒体などがある。
記憶部１２は、スマートフォン等の操作装置Ｃ内に設けられていても良い。
【０１２２】
＜操作通信部１３＞
図１に示されたように、操作通信部１３は、スマートフォン等のように、操作装置Ｃとマッサージ装置Ｍが別体であって、操作装置Ｃ外部と無線を介して通信するものである場合に、操作装置Ｃ側に設けられてマッサージ装置Ｍと通信するための通信機器である。
従って、この操作通信部１３を有している場合、その操作通信部１３は、当然、スマートフォン等の操作装置Ｃ内に設けられている。
【０１２３】
＜操作制御部１４＞
図１に示されたように、操作制御部１４は、上述した編集部２、表示部３、入力部１１、記憶部１２、操作通信部１３を、後述する操作プログラムＳに基づいて制御する機能（サービス）を提供するコンピュータ（又は、ソフトウェア）である。
操作制御部１４は、スマートフォン等の操作装置Ｃ内に設けられていても良い。
【０１２４】
＜マッサージ通信部１５＞
図１に示されたように、マッサージ通信部１５も、スマートフォン等のように、操作装置Ｃが、マッサージ装置Ｍ専用のリモコン等ではなく別体であって、マッサージ装置Ｍ外部にある操作装置Ｃと無線を介して通信するものである場合に、マッサージ装置Ｍ側に設けられて操作装置Ｃと通信するための通信機器である。
従って、このマッサージ通信部１５を有している場合、そのマッサージ通信部１５は、当然、マッサージ装置Ｍ内に設けられている。
【０１２５】
＜マッサージ制御部１６＞
図１に示すように、マッサージ制御部１６は、マッサージ通信部１５を介して、マッサージ装置Ｍにおける施療体Ｂに、操作入力Ｎ、編集部２によって新たに編集（作成）された施療コースＲ、記憶部１２に記憶された施療コースＲに基づいて、被施療者Ｈにマッサージ動作Ｄを施療させる機能（サービス）を提供するコンピュータ（又は、ソフトウェア）である。
マッサージ制御部１６は、マッサージ装置Ｍ内に設けられていても良い。
【０１２６】
＜操作プログラムＳ＞
図２５には、本発明に係る操作プログラムＳのフローチャート図が示されている。
本発明の操作プログラムＳを実行する操作システム１によって、操作入力Ｎ、施療コースＲに基づくマッサージ装置Ｍのマッサージ動作Ｄを被施療者Ｈに施療させる。
以下に、操作プログラムＳのフローを述べる（ステップＳ１〜Ｓ８、Ｓ４’、Ｓ５’、Ｓ４”、Ｓ５”）。
【０１２７】
＜ステップＳ１＞
操作システム１（操作制御部１４）により操作プログラムＳを起動させると、起動画面Ｇ１が表示部３（表示画面Ｃ１）に表示される（ステップＳ１）。
【０１２８】
＜ステップＳ２＞
操作システム１（操作制御部１４）が表示させるメニュー表示画面Ｇ２、施療コース選択画面Ｇ３、施療コース開始画面Ｇ４、編集前画面Ｇ６において、被施療者Ｈ等は、編集部２等に施療コースＲを「編集」させるか、それとも、マッサージ装置Ｍに施療コースＲを「実行」させるかを選択する（ステップＳ２）。
このとき、施療コースＲを「編集」させることを選択すれば、後述のステップＳ３に移る。逆に、施療コースＲを「実行」させることを選択すれば、後述のステップＳ４”に移る。
【０１２９】
＜ステップＳ３＞
操作システム１（操作制御部１４）において、被施療者Ｈ等は、編集部２等に、施療コースＲ（各マッサージ動作Ｄのマッサージ動作情報Ｊ）における「時間」を編集させるか、それとも、施療コースＲ（各マッサージ動作Ｄのマッサージ動作情報Ｊ）における時間以外の「情報（マッサージ部位、マッサージ手技の種類、マッサージ強度、施療時間）」を編集させるかを選択する（ステップＳ３）。
このとき、「時間」を編集させることを選択すれば、後述のステップＳ４に移る。逆に、時間以外の「情報」を編集させることを選択すれば、後述のステップＳ４’に移る。
【０１３０】
＜ステップＳ４＞
操作システム１（操作制御部１４）が表示させる時間編集画面Ｇ７において、被施療者Ｈ等は、編集部２及び表示部３等で、施療コースＲ（各マッサージ動作Ｄのマッサージ動作情報Ｊ）における「時間」を編集する（ステップＳ４）。
このステップＳ４では、マッサージ装置Ｍにおける１種又は複数種のマッサージ動作Ｄを複数同時に編集可能な編集ステップＳ−Ｅと、１種又は複数種のマッサージ動作Ｄを複数同時に表示可能な表示ステップＳ−Ｄを、同時に操作システム１（操作制御部１４）に実行させる。
つまり、ステップＳ４は、編集ステップＳ−Ｅと表示ステップＳ−Ｄを同時に実行させるステップである。
これによって、マッサージ動作Ｄの種類や数を問わず、被施療者Ｈ等にとって、一見して、マッサージ動作Ｄにおけるマッサージ動作情報Ｊやその編集状態が常に確認可能となって、編集の変化や各種・各個のマッサージ動作Ｄの関係性が視覚的に理解し易く、複数種等のマッサージ動作Ｄ全体を直観的に編集・表示でき（「被施療者Ｈ等の操作性の向上」）、適切な施療を受け易くなる。
この編集ステップＳ−Ｅと表示ステップＳ−Ｄを同時に実行するステップＳ４によって、本発明の操作プログラムＳでも、複数種のマッサージ動作Ｄを同時編集している場面であれば、あるマッサージ動作Ｄの開始時間Ｋ及び終了時間Ｅに対する、他のマッサージ動作Ｄの相対的な開始時間Ｋ及び相対的な終了時間Ｅも編集することとなる。
【０１３１】
＜ステップＳ５＞
施療コースＲにおける「時間」の編集を終了するのであれば、後述のステップＳ６へ移り、「時間」の編集を終了しないのであれば、再びステップＳ４に戻る（ステップＳ５）。
【０１３２】
＜ステップＳ６＞
施療コースＲにおける「時間」だけでなく、時間以外の「情報」も含めて編集を終了するのであれば、後述のステップＳ７へ移り、施療コースＲにおける「時間」と「情報」の少なくとも一方でも編集を終了しないのであれば、再びステップＳ３に戻る（ステップＳ６）。
【０１３３】
＜ステップＳ７、Ｓ８＞
施療コースＲの「編集」だけでなく、施療コースＲの「実行」も含めて操作プログラムＳを終了するのであれば、終了を意味するステップＳ８へ移り、施療コースＲの「編集」と「実行」の少なくとも一方でも終了しないのであれば、再びステップＳ２に戻る（ステップＳ７、Ｓ８）。
【０１３４】
＜ステップＳ４’＞
上述したステップＳ３で、時間以外の「情報」を編集させることが選択されていれば、操作システム１（操作制御部１４）が表示させる情報編集画面Ｇ８において、被施療者Ｈ等は、施療コースＲ（各マッサージ動作Ｄのマッサージ動作情報Ｊ）における時間以外の「情報（マッサージ部位、マッサージ手技の種類、マッサージ強度、施療時間）」を編集する（ステップＳ４’）。
このステップＳ４’でも、マッサージ装置Ｍにおけるマッサージ動作Ｄを編集可能な編集ステップＳ−Ｅ’と、マッサージ動作Ｄを表示可能な表示ステップＳ−Ｄ’を、操作システム１（操作制御部１４）に実行させている。
尚、これら編集ステップＳ−Ｅ’と表示ステップＳ−Ｄ’は、上述したＳ４のように、同時に実行させても良いが、図２５のように、先に表示ステップＳ−Ｄ’を実行し（ステップＳ４’−１）、その後に、編集ステップＳ−Ｅ’を実行し（ステップＳ４’−２）ても良い。
【０１３５】
＜ステップＳ５’＞
施療コースＲにおける時間以外の「情報」の編集を終了するのであれば、上述したステップＳ６へ移り、「情報」の編集を終了しないのであれば、再びステップＳ４’に戻る（ステップＳ５’）。
【０１３６】
＜ステップＳ４”＞
上述したステップＳ２で、施療コースＲを「実行」させることが選択されていれば、操作システム１（操作制御部１４）は情報編集画面Ｇ８を表示し、マッサージ制御部１６はマッサージ装置Ｍに、当該施療コースＲや操作入力Ｎに基づいてマッサージ装置Ｍにおける施療体Ｂを制御して被施療者Ｈを施療する（ステップＳ４”）。
【０１３７】
＜ステップＳ５”＞
施療コースＲの「実行」を終了するのであれば、上述したステップＳ７へ移り、施療コースＲの「実行」を終了しないのであれば、再びステップＳ４”に戻る（ステップＳ５”）。
【０１３８】
＜第１実施形態に係る操作システム１及びマッサージシステム１００の変形例＞
尚、第１実施形態に係る操作システム１及びマッサージシステム１００は、操作装置Ｃとマッサージ装置Ｍの間を有線で接続していても良く、その場合には、上述した操作通信部１３、マッサージ通信部１５が設けられていなくても良い。
この変形例における操作装置Ｃは、第１実施形態のように、スマートフォン等の携帯端末等を、マッサージ装置ＭとＵＳＢケーブル等で接続してものでも良い。この他、変形例における操作装置Ｃは、マッサージ装置Ｍ専用の有線リモコンであっても良い（図７参照）。
【０１３９】
更に、上述では、記憶部１２を操作装置Ｃに設けていたが、記憶部１２をマッサージ装置Ｍ側に設けていても良い。
その他の操作システム１及びマッサージシステム１００の構成、作用効果及び使用態様は、第１実施形態と同様である。
【０１４０】
＜第２実施形態に係る操作システム１及びマッサージシステム１００＞
図２６には、本発明の第２実施形態に係る操作システム１及びマッサージシステム１００が示されている。
この第２実施形態において第１実施形態と最も異なるのは、操作装置Ｃとマッサージ装置Ｍが、ネットワークＷを介して通信する点である。
【０１４１】
尚、本発明における「ネットワークＷ」とは、個々のコンピュータネットワーク（ローカルエリアネットワーク（ＬＡＮ））を接続して、データのやりとりにＴＣＰ／ＩＰというプロトコルを用いて、世界的規模で通信サービスを行えるようにしたローカルエリアネットワーク（ＬＡＮ）の集合体である「インターネット」（オープンネットワーク）をはじめ、各「ローカルエリアネットワーク（ＬＡＮ）」や、「メトロポリタンエリアネットワーク（ＭＡＮ）」、「ワイドエリアネットワーク（ＷＡＮ）」など、何れのコンピュータネットワークであっても構わない。
本発明における「ローカルエリアネットワーク（ＬＡＮ）」とは、ＪＩＳ−Ｘ−０００９：１９９７で規定された「利用者の構内に設置され、地理的に限られた範囲のコンピュータネットワーク」を言い、クローズドネットワークであるとも言える。
本発明における「メトロポリタンエリアネットワーク（ＭＡＮ）」も、ＪＩＳ−Ｘ−０００９：１９９７で規定された「同じ都市内のローカルエリアネットワークを接続するための網」を言い、本発明における「ワイドエリアネットワーク（ＷＡＮ）」は、ＪＩＳ−Ｘ−０００９：１９９７の規定による「ローカルエリアネットワーク又はメトロポリタンネットワークよりも広域に通信サービスを提供するネットワーク」を言う。
又、本発明においては、Ｗｉ−Ｆｉ（登録商標の少なくとも一部）や、Ｂｌｕｅｔｏｏｔｈ（登録商標）などの無線通信手法も含め「ＬＡＮ」として扱う。
【０１４２】
ネットワークＷを介して通信する第２実施形態においては、操作装置Ｃとマッサージ装置Ｍそれぞれにおける通信部（操作通信部１３、マッサージ通信部１５）は、ネットワークＷと通信可能（接続可能）に構成されている。
又、上述した記憶部１２は、ネットワークＷ上に設けられていても良い。
【０１４３】
このために、ネットワークＷには、被施療者Ｈ等が過去に編集した施療コースＲや、予め用意されている施療コースＲ（例えば、上述したＬｏｈａｓオートコース、Ｐｏｓｉｔｉｏｎオートコース、高齢者向けオートコース、４Ｄ  Ｅｘｔｅｒｍｅｌｙ  オートコース、リフレッシュコースなど）を置くためのアプリケーションサーバ（クラウドサーバ）２１が設けられており、このアプリケーションサーバ２１に、記憶部１２が接続されている。
尚、本発明における「サーバ」とは、ＪＩＳ−Ｘ−０００９：１９９７で規定された「データ網を介して、ワークステーション、その他の機能装置に共有サービスを提供する機能装置」を言う。
【０１４４】
又、ネットワークＷ上に様々な施療コースＲを記憶する記憶部１２が設けられていることから、操作システム１は、ネットワークＷ上に施療コースＲ（各マッサージ動作Ｄのマッサージ動作情報Ｊ）を置いたままで、マッサージ装置Ｍのマッサージ制御部１６に施療コースＲを実行させることが可能となる。
従って、被施療者Ｈ等は、場所・時間を問わず、スマートフォン等の操作装置Ｃの電波が届く圏内であれば、実行する施療コースＲを選択することが出来、被施療者Ｈ等は、より操作負担をかけずに適切なマッサージの施療を受けられる。
【０１４５】
ここで、本発明が、ネットワークＷ上に施療コースＲを置いたままで、選択した施療コースＲをマッサージ装置Ｍに実行させるシステムであることを鑑みれば、この施療コースＲを「共用の構成可能なコンピュータリソース」とみることが出来、本発明は、「クラウドコンピューティング」システムであると言える。
尚、本発明における「クラウドコンピューティング」システムとは、米国国立標準技術研究所（ＮＩＳＴ）による定義から、「共用の構成可能なコンピューティングリソース（ネットワーク、サーバ、ストレージ、アプリケーション、サービス）の集積に、どこからでも、簡便に、必要に応じて、ネットワーク経由でアクセスすることを可能とするモデルであり、最小限の利用手続きまたはサービスプロバイダとのやりとりで速やかに割当てられ提供される（翻訳は、独立行政法人情報処理推進機構（ＩＰＡ））」システムを言う。
その他の操作システム１及びマッサージシステム１００の構成、作用効果及び使用態様は、第１実施形態と同様である。
【０１４６】
＜第３実施形態に係る操作システム１及びマッサージシステム１００＞
図２７には、本発明の第３実施形態に係る操作システム１及びマッサージシステム１００が示されている。
この第３実施形態において第１、２実施形態と最も異なるのは、操作システム１がマッサージ装置Ｍに内蔵されている点である。
従って、操作装置Ｃにおける操作通信部１３や、マッサージ装置Ｍにおけるマッサージ通信部１５は、当然、設けられていない。
【０１４７】
上述では、操作装置Ｃとマッサージ装置Ｍそれぞれに、制御部（操作制御部１４、マッサージ制御部１６）が設けられていたが、この２つの制御部１４、１６をまとめて１つにした制御部を設けていても良い。
その他の操作システム１及びマッサージシステム１００の構成、作用効果及び使用態様は、第１、２実施形態と同様である。
【０１４８】
＜動作編集システム１’＞
図２８には、動作編集システム１’が実行する動作編集プログラムＳ’のフローチャート図が示されている。
この動作編集システム１’も、当該動作編集システムへの入力Ｎ’に基づいて１種又は複数種の動作Ｄ’を複数同時に編集可能な編集部２’と、１種又は複数種の動作Ｄ’を複数同時に表示可能な表示部３’を有している。
尚、動作編集システム１’が編集対象とする動作Ｄ’は、マッサージ装置Ｍによるマッサージ動作Ｄをはじめ、その他、仕事・勉強等のスケジュール予定表の編集などでも良く、動作Ｄ’は、その開始時間Ｋ’及び終了時間Ｅ’を少なくとも動作情報Ｊ’として含んでいる。
【０１４９】
そして、動作編集システム１’は、編集部２’が動作Ｄ’の開始時間Ｋ’及び終了時間Ｅ’を編集する際には、表示部３’は、動作Ｄ’の種類ごとに各動作Ｄ’を所定方向に沿って並べて、所定方向における位置Ｐ’で各動作Ｄ’の開始時間Ｋ’及び終了時間Ｅ’を表示している。
よって、上述した第１〜３実施形態の操作システム１は、動作編集システム１’の１種であると言える。
【０１５０】
＜動作編集プログラムＳ’＞
図２８に示したように、動作編集プログラムＳ’を実行する動作編集システム１’によって、操作入力Ｎに基づく動作Ｄ’の編集を実現できる。
以下に、動作編集プログラムＳ’のフローを述べる（ステップＳ’１〜Ｓ’８、Ｓ’４’、Ｓ’５）。
【０１５１】
＜ステップＳ’１＞
動作編集システム１’により動作編集プログラムＳ’を起動させる（ステップＳ’１）。
【０１５２】
＜ステップＳ’３＞
動作編集システム１’において、その使用者Ｈ’は、編集部２’等に、動作Ｄ’の動作情報Ｊ’における「時間」を編集させるか、それとも、動作Ｄ’の動作情報Ｊ’における時間以外の「情報」を編集させるかを選択する（ステップＳ’３）。
このとき、「時間」を編集させることを選択すれば、後述のステップＳ’４に移る。逆に、時間以外の「情報」を編集させることを選択すれば、後述のステップＳ’４’に移る。
【０１５３】
＜ステップＳ’４＞
動作編集システム１’において、使用者Ｈ’は、編集部２’及び表示部３’等で、動作Ｄ’の動作情報Ｊ’における「時間」を編集する（ステップＳ’４）。
このステップＳ’４では、１種又は複数種の動作Ｄ’を複数同時に編集可能な編集ステップＳ’−Ｅと、１種又は複数種の動作Ｄ’を複数同時に表示可能な表示ステップＳ’−Ｄを、同時に動作編集システム１’に実行させる。
つまり、ステップＳ’４は、編集ステップＳ’−Ｅと表示ステップＳ’−Ｄを同時に実行させるステップである。
これによって、動作Ｄ’の種類や数を問わず、使用者Ｈ’にとって、一見して、動作Ｄ’における動作情報Ｊ’やその編集状態が常に確認可能となって、編集の変化や各種・各個の動作Ｄ’の関係性が視覚的に理解し易く、複数種等の動作Ｄ’全体を直観的に編集・表示できる（「使用者Ｈ’の編集操作性の向上」）。
この編集ステップＳ’−Ｅと表示ステップＳ’−Ｄを同時に実行するステップＳ’４によって、動作編集プログラムＳ’でも、複数種の動作Ｄ’を同時編集している場面であれば、ある動作Ｄ’の開始時間Ｋ’及び終了時間Ｅ’に対する、他の動作Ｄ’の相対的な開始時間Ｋ’及び相対的な終了時間Ｅ’も編集することとなる。
【０１５４】
＜ステップＳ’５＞
動作Ｄ’の動作情報Ｊ’における「時間」の編集を終了するのであれば、後述のステップＳ’６へ移り、「時間」の編集を終了しないのであれば、再びステップＳ’４に戻る（ステップＳ’５）。
【０１５５】
＜ステップＳ’６、Ｓ’８＞
動作Ｄ’の動作情報Ｊ’における「時間」だけでなく、時間以外の「情報」も含めて編集を終了するのであれば、終了を意味するステップＳ’８へ移り、動作Ｄ’の動作情報Ｊ’における「時間」と「情報」の少なくとも一方でも編集を終了しないのであれば、再びステップＳ’３に戻る（ステップＳ’６、Ｓ’８）。
【０１５６】
＜ステップＳ’４’＞
上述したステップＳ’３で、時間以外の「情報」を編集させることが選択されていれば、動作編集システム１’において、使用者Ｈ’は、動作Ｄ’の動作情報Ｊ’における時間以外の「情報」を編集する（ステップＳ’４’）。
このステップＳ’４’でも、動作Ｄ’を編集可能な編集ステップＳ’−Ｅ’と、動作Ｄ’を表示可能な表示ステップＳ’−Ｄ’を、動作編集システム１’に実行させている。
尚、これら編集ステップＳ’−Ｅ’と表示ステップＳ’−Ｄ’は、上述したＳ’４のように、同時に実行させても良いが、図２８のように、先に表示ステップＳ’−Ｄ’を実行し（ステップＳ’４’−１）、その後に、編集ステップＳ’−Ｅ’を実行し（ステップＳ’４’−２）ても良い。
【０１５７】
＜ステップＳ’５’＞
動作Ｄ’の動作情報Ｊ’における時間以外の「情報」の編集を終了するのであれば、上述したステップＳ’６へ移り、「情報」の編集を終了しないのであれば、再びステップＳ’４’に戻る（ステップＳ’５’）。
その他の動作編集システム１’の構成、作用効果及び使用態様は、第１〜３実施形態に係る操作システム１及び操作プログラムＳと同様である。
【０１５８】
＜その他＞
本発明は、前述した実施形態に限定されるものではない。操作システム１、操作プログラムＳ、及びマッサージシステム１００等の各構成又は全体の構造、形状、寸法などは、本発明の趣旨に沿って適宜変更することが出来る。動作編集システム１’の各構成又は全体の構造、形状、寸法なども、適宜変更することが出来る。
マッサージ装置Ｍにおける施療体Ｂは、上述した揉み玉Ｂ１、エアバッグＢ２、板状体Ｂ３、振動マッサージ器Ｂ４の他、被施療者Ｈをマッサージできるのであれば、ロール体等であっても良い。
操作装置Ｃは、被施療者Ｈの携帯機器以外に、例えば、デスクトップ型ＰＣ等でも良く、この場合、１台のデスクトップ型ＰＣから構成される場合だけでなく、複数のデスクトップ型ＰＣや、スマートフォン、タブレット型端末、携帯電話、ＰＤＡ、ノート型ＰＣ等から成るＬＡＮを構成しても良い。
【産業上の利用可能性】
【０１５９】
本発明に係る操作システム、操作プログラム及びマッサージシステムは、マッサージ装置として、リクライニング可能な椅子型以外に、リクライニング可能でない椅子型、マットレス型、ベッド型の他、何れの構成のマッサージ装置に対して利用可能である。
又、本発明に係る操作システム、操作プログラム及びマッサージシステムは、ハンディ型のマッサージ装置や、小型マッサージ機の他、マッサージ装置ではなく、美容機器に対して用いても良い。
更に、動作編集システムは、マッサージ装置、美容機器などに対してだけでなく、仕事・勉強等のスケジュール予定表の編集や、ＰＣ上での動作の編集に対してなど何れの動作にも利用可能である。
【符号の説明】
【０１６０】
１、１’    操作システム（動作編集システム）
２、２’    編集部
３、３’    表示部
１００      マッサージシステム
Ｈ          被施療者
Ｍ          マッサージ装置
Ｎ          操作入力
Ｄ          マッサージ動作
Ｄｓ        指定マッサージ動作
Ｄｈ        非指定マッサージ動作
Ｋ          マッサージ動作の開始時間
Ｅ          マッサージ動作の終了時間
Ｊ          マッサージ動作情報
Ｐ、Ｐ’    所定方向における位置
Ｓ          操作プログラム
Ｓ−Ｅ      編集ステップ
Ｓ−Ｄ      表示ステップ
Ｎ’        入力
Ｄ’        動作
Ｋ’        動作の開始時間
Ｅ’        動作の終了時間
Ｊ’        動作情報
【要約】
【課題】複数種のマッサージ動作等に対しても直観的に編集・表示でき、被施療者等の操作性を向上させる。
【解決手段】被施療者Ｈをマッサージするマッサージ装置Ｍを操作する操作システムである。当該操作システムへの操作入力Ｎに基づいてマッサージ装置Ｍにおける１種又は複数種のマッサージ動作Ｄを複数同時に編集可能な編集部２と、１種又は複数種のマッサージ動作Ｄを複数同時に表示可能な表示部３を有し、マッサージ動作Ｄは、その開始時間Ｋ及び終了時間Ｅを少なくともマッサージ動作情報Ｊとして含み、編集部２がマッサージ動作Ｄの開始時間Ｋ及び終了時間Ｅを編集する際には、表示部３は、マッサージ動作Ｄの種類ごとに各マッサージ動作Ｄを所定方向に沿って並べて、所定方向における位置Ｐで各マッサージ動作Ｄの開始時間Ｋ及び終了時間Ｅを表示している。
【選択図】図１７【図１】
0005791136.tif 000003
【図２】
0005791136.tif 000004
【図３】
0005791136.tif 000005
【図４】
0005791136.tif 000006
【図５】
0005791136.tif 000007
【図６】
0005791136.tif 000008
【図７】
0005791136.tif 000009
【図８】
0005791136.tif 000010
【図２５】
0005791136.tif 000011
【図２６】
0005791136.tif 000012
【図２７】
0005791136.tif 000013
【図２８】
0005791136.tif 000014
【図９】
0005791136.tif 000015
【図１０】
0005791136.tif 000016
【図１１】
0005791136.tif 000017
【図１２】
0005791136.tif 000018
【図１３】
0005791136.tif 000019
【図１４】
0005791136.tif 000020
【図１５】
0005791136.tif 000021
【図１６】
0005791136.tif 000022
【図１７】
0005791136.tif 000023
【図１８】
0005791136.tif 000024
【図１９】
0005791136.tif 000025
【図２０】
0005791136.tif 000026
【図２１】
0005791136.tif 000027
【図２２】
0005791136.tif 000028
【図２３】
0005791136.tif 000029
【図２４】
0005791136.tif 000030